(57)【特許請求の範囲】
【請求項１】
下記式（１）で表されるポルフィラジン色素混合物又はその塩、
0005458022.tif 000015
［式中、
環Ａ乃至Ｄは、それぞれ独立にポルフィラジン環に縮環したベンゼン環又は窒素原子を１又は２個含む６員環の含窒素複素芳香環を表し、該含窒素複素芳香環の個数は平均値で０．００より大きく１．００未満であり、残りはベンゼン環であり、
ＥはＣ２−Ｃ６アルキレンを表し、
Ｘ及びＹは、それぞれ独立して、置換基としてスルホ基、カルボキシ基若しくはリン酸基を有するアニリノ基、又は、同ナフチルアミノ基であり、
更に、該アニリノ基又はナフチルアミノ基は、スルホ基、カルボキシ基、リン酸基、スルファモイル基、カルバモイル基、ヒドロキシ基、アルコキシ基、アミノ基、モノ又はジアルキルアミノ基、モノ又はジアリールアミノ基、アセチルアミノ基、ウレイド基、アルキル基、ニトロ基、シアノ基、ハロゲン原子、アルキルスルホニル基、アルキルチオ基、アリールオキシ基及びヘテロ環基より成る群から選択される１種又は２種以上の基で置換されてもよく、
ｂは平均値で０．００以上３．９０未満であり、
ｃは平均値で０．１０以上４．００未満であり、
且つｂおよびｃの和は、平均値で３．００より大きく４．００未満である。但し、Ｘ及びＹが、それぞれ独立に、置換基としてカルボキシ基を１〜３個有するアニリノ基で、ｂは平均値で０以上３．４までであり、
ｃは平均値で０．１以上３．５までであり、
且つｂおよびｃの和は、１．０から３．５までの場合、
該含窒素複素芳香環の個数は平均値で０．０より大きく０．５未満である。］。
【請求項２】
環Ａ乃至Ｄで表される前記含窒素複素芳香環が、ピリジン環又はピラジン環である請求項１に記載のポルフィラジン色素混合物又はその塩。
【請求項３】
下記式（３）で表されるポルフィラジン化合物の混合物と、下記式（４）で表される有機アミンとを、アンモニア存在下で反応させて得られる請求項１に記載のポルフィラジン色素混合物又はその塩、
0005458022.tif 000016
［式中、環Ａ乃至Ｄは請求項１に記載のものと同じ意味を表し、またｎは３．００より大きく４．００未満である。］、
0005458022.tif 000017
［式中、Ｅ、Ｘ、及びＹは請求項１に記載のものと同じ意味を表す］。
【請求項４】
環Ａ乃至Ｄにおける前記含窒素複素芳香環がピリジン環であり、該ピリジン環の縮環位置が、ピリジン環の窒素原子を１位として２位及び３位、３位及び４位、４位及び５位、又は５位及び６位であるか、又は、
環Ａ乃至Ｄにおける前記含窒素複素芳香環がピラジン環であり、該ピラジン環の縮環位置が、ピラジン環の窒素原子を１位及び４位として２位及び３位であり、
ＥがＣ２−Ｃ４アルキレンであり、
Ｘ及びＹは、それぞれ独立して、置換基としてスルホ基、カルボキシ基若しくはリン酸基を有するアニリノ基、又は、同ナフチルアミノ基であり、
該アニリノ基又はナフチルアミノ基は、ヒドロキシ基、アルコキシ基、ウレイド基、アセチルアミノ基、ニトロ基及び塩素原子より成る群から選択される１種又は２種以上の置換基を、さらに０〜３個有しても良い、
請求項１に記載のポルフィラジン色素混合物又はその塩。
【請求項５】
環Ａ乃至Ｄにおける前記含窒素複素芳香環の個数が、平均値で０．２〜０．９であり、残りがベンゼン環であり、
ｂが平均値で０．０〜３．７であり、
ｃは平均値で０．１〜３．８であり、
且つｂおよびｃの和は、平均値で３．１〜３．８である請求項１に記載のポルフィラジン色素混合物又はその塩。
【請求項６】
環Ａ乃至Ｄにおける前記含窒素複素芳香環の個数が平均値で０．２５〜０．８５であり、残りがベンゼン環であり、
ＥがＣ２−Ｃ４アルキレンを表し、
Ｘ及びＹが、それぞれ独立して、スルホ基又はカルボキシ基で置換されたアニリノ基であり、
ｂが平均値で０．００〜３．０５であり、
ｃが平均値で０．１０〜３．７５であり、
且つｂおよびｃの和は、平均値で３．１５〜３．７５である、請求項１に記載のポルフィラジン色素混合物又はその塩。
【請求項７】
Ｘ及びＹが、それぞれ独立してスルホ基で置換されたアニリノ基である請求項１に記載のポルフィラジン色素混合物又はその塩。
【請求項８】
環Ａ乃至Ｄにおける前記含窒素複素芳香環がピリジン環であり、該ピリジン環の縮環位置が、ピリジン環の窒素原子を１位として２位及び３位であり、且つ該ピリジン環の個数が平均値で０．５０〜０．８５であり、残りがベンゼン環であり、
Ｅがエチレン又はプロピレンであり、
Ｘ及びＹが、それぞれ独立して置換基としてスルホ基を有するアニリノ基であり、
ｂが平均値で０．００〜３．４０であり、
ｃが平均値で０．１０〜３．５０であり、
且つｂおよびｃの和は、平均値で３．１５〜３．５０である、請求項１又は７に記載のポルフィラジン色素混合物又はその塩。
【請求項９】
請求項１、５及び８のいずれか一項に記載のポルフィラジン色素混合物又はその塩を、色素として含有し、さらに水を含有するインク組成物。
【請求項１０】
さらに有機溶剤を含有する請求項９に記載のインク組成物。
【請求項１１】
インクジェット記録用である請求項９に記載のインク組成物。
【請求項１２】
請求項１に記載のポルフィラジン色素混合物又はその塩、及び水を含有するインク組成物のインク滴を記録信号に応じて吐出させて被記録材に付着させることにより記録を行うインクジェット記録方法。
【請求項１３】
被記録材が情報伝達用シートである請求項１２に記載のインクジェット記録方法。
【請求項１４】
情報伝達用シートが表面処理されたシートであって、支持体上に白色無機顔料粒子を含有するインク受容層を有するシートである請求項１３に記載のインクジェット記録方法。
【請求項１５】
請求項１に記載のポルフィラジン色素混合物又はその塩、及び水を含有するインク組成物を含有する容器。
【請求項１６】
請求項１５に記載の容器が装填されたインクジェットプリンタ。
【請求項１７】
請求項１に記載のポルフィラジン色素混合物又はその塩、及び水を含有するインク組成物で着色された着色体。
【請求項１８】
Ｘ及びＹが、それぞれ独立して３−スルホアニリノ基又は４−スルホアニリノ基である請求項１、６又は８のいずれか１項に記載のポルフィラジン色素混合物又はその塩。
【発明の詳細な説明】
【技術分野】
【０００１】
本発明は新規ポルフィラジン色素又はその塩、これを含有するインク組成物、このインク組成物を用いたインクジェット記録方法及び着色体に関する。
【背景技術】
【０００２】
近年、画像記録材料としては、特にカラー画像を形成するための材料が主流であり、具体的には、インクジェット方式記録材料、感熱転写型画像記録材料、電子写真方式を用いる記録材料、転写式ハロゲン化銀感光材料、印刷インク、記録ペン等が盛んに利用されている。また、ディスプレーではＬＣＤ（液晶ディスプレー）やＰＤＰ（プラズマディスプレーパネル）において、撮影機器ではＣＣＤ（撮動素子）等の電子部品において、カラーフィルターが使用されている。これらのカラー画像記録材料やカラーフィルターでは、フルカラー画像を再現あるいは記録するために、いわゆる加法混色法や減法混色法の３原色の色素（染料や顔料）が使用されている。しかし、好ましい色再現域を実現出来る吸収特性を有し、且つさまざまな使用条件に耐えうる色素がないのが実状であり、改善が強く望まれている。【０００３】
インクジェット記録方法は、材料費が安価であること、高速記録が可能なこと、記録時の騒音が少ないこと、更にカラー記録が容易であることから、急速に普及し、更に発展しつつある。インクジェット記録方法には、連続的にインクの液滴を吐出させるコンティニュアス方式と、画像情報信号に応じて該液滴を吐出させるオンデマンド方式が有る。その吐出方式にはピエゾ素子により圧力を加えて液滴を吐出させる方式、熱によりインク中に気泡を発生させて液滴を吐出させる方式、超音波を用いた方式、あるいは静電力により液滴を吸引吐出させる方式等がある。また、インクジェット記録に適したインクの例としては、水性インク、油性インク、あるいは固体（溶融型）インク等が挙げられる。【０００４】
このようなインクジェット記録に適したインクに用いられる色素に対して要求される性能としては、溶剤に対する溶解性あるいは分散性が良好なこと、高濃度記録が可能であること、色相が良好であること、光、熱、環境中の活性ガス（ＮＯｘ、オゾン等の酸化性ガスの他、ＳＯｘ等）に対して強いこと、水や薬品に対する耐久性に優れていること、被記録材に対して定着性が良く滲みにくいこと、インクとしての保存性に優れていること、毒性がないこと、更には、安価に入手できること等が挙げられる。特に、良好なシアンの色相を有し、且つ高い印字濃度の記録物が得られることや、記録画像の各種耐性、例えば耐光性（光に対する耐久性）、耐オゾン性（オゾンガスに対する耐久性）及び耐湿性（高湿度下における耐久性）に優れるシアン色素が強く望まれている。【０００５】
インクジェット記録に適したインクに用いられる水溶性シアン色素としては、フタロシアニン系やトリフェニルメタン系が代表的である。最も広範囲に報告され、利用されている代表的なフタロシアニン系色素としては、以下のＡ〜Ｈで分類されるフタロシアニン誘導体が知られている。【０００６】
Ａ：Ｄｉｒｅｃｔ  Ｂｌｕｅ  ８６、Ｄｉｒｅｃｔ  Ｂｌｕｅ  ８７、Ｄｉｒｅｃｔ  Ｂｌｕｅ  １９９、Ａｃｉｄ  Ｂｌｕｅ  ２４９又はＲｅａｃｔｉｖｅ  Ｂｌｕｅ  ７１等のＣ．Ｉ．（カラーインデックス）番号を有する公知のフタロシアニン系色素。【０００７】
Ｂ：特許文献１〜３等に記載のフタロシアニン系色素、
［例えば、Ｃｕ−Ｐｃ−（ＳＯ３Ｎａ）ｍ（ＳＯ２ＮＨ２）ｎ；ｍ＋ｎ＝１〜４の混合物］（Ｐｃはフタロシアニン残基を表す。以下同じ。）。【０００８】
Ｃ：特許文献４等に記載のフタロシアニン系色素、
［例えば、Ｃｕ−Ｐｃ−（ＣＯ２Ｈ）ｍ（ＣＯＮＲ１Ｒ２）ｎ；ｍ＋ｎ＝０〜４の数］。【０００９】
Ｄ：特許文献５等に記載のフタロシアニン系色素、
［例えば、Ｃｕ−Ｐｃ−（ＳＯ３Ｈ）ｍ（ＳＯ２ＮＲ１Ｒ２）ｎ；ｍ＋ｎ＝０〜４の数、且つ、ｍ≠０］【００１０】
Ｅ：特許文献６等に記載のフタロシアニン系色素、
［例えば、Ｃｕ−Ｐｃ−（ＳＯ３Ｈ）ｌ（ＳＯ２ＮＨ２）ｍ（ＳＯ２ＮＲ１Ｒ２）ｎ；ｌ＋ｍ＋ｎ＝０〜４の数］。【００１１】
Ｆ：特許文献７等に記載のフタロシアニン系色素、
［例えば、Ｃｕ−Ｐｃ−（ＳＯ２ＮＲ１Ｒ２）ｎ；ｎ＝１〜５の数］。【００１２】
Ｇ：特許文献８、９、及び１２等に記載のフタロシアニン系色素、
［置換基の置換位置を制御したフタロシアニン化合物、β−位に置換基が導入されたフタロシアニン系色素］。【００１３】
Ｈ：特許文献１０、１３〜２１等に記載のピリジン環とベンゼン環を有するベンゾピリドポルフィラジン系色素。【００１４】
Ｉ：特許文献１１等に記載のフタロシアニン系色素、
［例えば、Ｃｕ−Ｐｃ−（ＳＯ３Ｈ）ａ（ＳＯ２ＮＲ１Ｒ２）ｂ（ＳＯ２ＮＨ−Ｘ−ＮＨ−（４−Ｙ−６−Ｚ−１，３，５−トリアジン−２−イル））ｃ；ａ＋ｂ＋ｃ＝２〜４の数］。【００１５】
現在一般に広く用いられているＤｉｒｅｃｔ  Ｂｌｕｅ  ８６又はＤｉｒｅｃｔ  Ｂｌｕｅ  １９９に代表されるフタロシアニン系色素は、一般に知られているマゼンタ色素やイエロー色素に比べ耐光性に優れるという特徴がある。フタロシアニン系色素は酸性条件下ではグリーン味の色相であり、シアンインクとしては余り好ましくない。そのためこれらの色素をシアンインクとして用いる場合は中性からアルカリ性の条件下で使用するのが好ましい。しかしながら、インクが中性からアルカリ性でも、用いる被記録材が酸性紙である場合、記録物の色相が大きく変化する可能性がある。【００１６】
さらに、フタロシアニン系色素をシアンインクとして用いた場合、昨今環境問題として取り挙げられることの多い酸化窒素ガスやオゾン等の酸化性ガスによっても、記録物の色相がグリーン味に変色すると共に、消色も起こるため、同時に印字濃度も低下してしまう。【００１７】
一方、トリフェニルメタン系については、色相は良好であるが、耐光性、耐オゾン性及び耐湿性において非常に劣る。【００１８】
今後、インクジェット記録の使用分野が拡大して、広告等の展示物にも広く使用されるようになると、そこに使用される色素及びインクは良好な色相を有し、且つ安価であることと共に、光や環境中の酸化性ガスに曝される場合が多くなるため、特に、良好な色相を有し、耐光性、耐酸化性ガス性及び耐湿性に優れることがますます強く望まれてくる。ここで言う酸化性ガスとは、空気中に存在する酸化作用を持つガスを指す。耐酸化性ガス性とは、記録紙上又は記録紙中で、記録画像の色素（染料）が酸化性ガスと反応し、記録画像を変退色させるという現象に対する耐性のことである。酸化性ガスの中でも特にオゾンガスは、インクジェット記録画像の変退色現象を促進させる主要な原因物質とされている。この変退色現象はインクジェット記録画像に特徴的なものであるため、耐オゾンガス性の向上はこの分野における重要な技術的課題である。しかしながら、これらの要求を高いレベルで満たすシアン色素（例えば、フタロシアニン系色素）及びシアンインクを開発することは難しいとされている。これまで、耐オゾンガス性を付与したフタロシアニン系色素又はベンゾピリドポルフィラジン色素は、特許文献３、８〜１２、１４〜１７等に開示され、色相、印字濃度、耐光性、耐オゾンガス性、耐湿性及びブロンズ現象を起こさない等すべての品質でかなり優れたものも出てきているが、色相評価が甘い等のものもあり、まだ市場の要求を充分に満足させるには至っていない。【００１９】
【特許文献１】特開昭６２−１９０２７３号公報
【特許文献２】特開平７−１３８５１１号公報
【特許文献３】特開２００２−１０５３４９号公報
【特許文献４】特開平５−１７１０８５号公報
【特許文献５】特開平１０−１４００６３号公報
【特許文献６】特表平１１−５１５０４８号公報
【特許文献７】特開昭５９−２２９６７号公報
【特許文献８】特開２０００−３０３００９号公報
【特許文献９】特開２００２−２４９６７７号公報
【特許文献１０】特開２００３−３４７５８号公報
【特許文献１１】特開２００２−８０７６２号公報
【特許文献１２】ＷＯ２００４／０８７８１５号公報
【特許文献１３】ＷＯ２００２／０３４８４４号公報
【特許文献１４】特開２００４−７５９８６号公報
【特許文献１５】ＷＯ２００７／０９１６３１号公報
【特許文献１６】ＷＯ２００７／１１６９３３号公報
【特許文献１７】ＷＯ２００８／１１１６３５号公報
【特許文献１８】ＷＯ２００２／０８８２５６号公報
【特許文献１９】ＷＯ２００５／０２１６５８号公報
【特許文献２０】特開２００５−１７９４６９号公報
【特許文献２１】特開２００５−２２０２５３号公報
【発明の開示】
【発明が解決しようとする課題】
【００２０】
本発明は、シアンインクとして良好な色相を有すると共に、ブロンズ現象を生じにくく、また耐オゾン性に優れたバランスの良いインクジェット記録に適したポルフィラジン色素又はその塩、及びこれを含有するインク組成物を提供することを課題とする。
【課題を解決するための手段】
【００２１】
本発明者らは、鋭意検討の結果、下記式（１）で表される特定のポルフィラジン色素混合物又はその塩が、上記課題を解決できることを見出し、本発明を完成するに至った。即ち、本発明は、
（１）
下記式（１）で表されるポルフィラジン色素混合物又はその塩、
0005458022.tif 000002
［式中、
環Ａ乃至Ｄは、それぞれ独立にポルフィラジン環に縮環したベンゼン環又は窒素原子を１又は２個含む６員環の含窒素複素芳香環を表し、該含窒素複素芳香環の個数は平均値で０．００より大きく１．００未満であり、残りはベンゼン環であり、
ＥはＣ２−Ｃ６アルキレンを表し、
Ｘ及びＹは、それぞれ独立して、置換基としてスルホ基、カルボキシ基若しくはリン酸基を有するアニリノ基、又は、同ナフチルアミノ基であり、
更に、該アニリノ基又はナフチルアミノ基は、スルホ基、カルボキシ基、リン酸基、スルファモイル基、カルバモイル基、ヒドロキシ基、アルコキシ基、アミノ基、モノ又はジアルキルアミノ基、モノ又はジアリールアミノ基、アセチルアミノ基、ウレイド基、アルキル基、ニトロ基、シアノ基、ハロゲン原子、アルキルスルホニル基、アルキルチオ基、アリールオキシ基及びヘテロ環基より成る群から選択される１種又は２種以上の基で置換されてもよく、
ｂは平均値で０．００以上３．９０未満であり、
ｃは平均値で０．１０以上４．００未満であり、
且つｂおよびｃの和は、平均値で３．００より大きく４．００未満である。但し、Ｘ及びＹが、それぞれ独立に、置換基としてカルボキシ基を１〜３個有するアニリノ基で、ｂは平均値で０以上３．４までであり、
ｃは平均値で０．１以上３．５までであり、
且つｂおよびｃの和は、１．０から３．５までの場合、
該含窒素複素芳香環の個数は平均値で０．０より大きく０．５未満である。］、
【００２２】
（２）
環Ａ乃至Ｄで表される前記含窒素複素芳香環が、ピリジン環又はピラジン環である上記（１）に記載のポルフィラジン色素混合物又はその塩、
（３）
下記式（３）で表されるポルフィラジン化合物の混合物と、下記式（４）で表される有機アミンとを、アンモニア存在下で反応させて得られる上記（１）又は（２）に記載のポルフィラジン色素混合物又はその塩、
0005458022.tif 000003
［式中、環Ａ乃至Ｄは上記（１）に記載のものと同じ意味を表し、またｎは３．００より大きく４．００未満である。］、
0005458022.tif 000004
［式中、Ｅ、Ｘ、及びＹは上記（１）に記載のものと同じ意味を表す。］、
【００２３】
（４）
環Ａ乃至Ｄにおける前記含窒素複素芳香環がピリジン環であり、該ピリジン環の縮環位置が、ピリジン環の窒素原子を１位として２位及び３位、３位及び４位、４位及び５位、又は５位及び６位であるか、又は、
環Ａ乃至Ｄにおける前記含窒素複素芳香環がピラジン環であり、該ピラジン環の縮環位置が、ピラジン環の窒素原子を１位及び４位として２位及び３位であり、
ＥがＣ２−Ｃ４アルキレンであり、
Ｘ及びＹは、それぞれ独立して、置換基としてスルホ基、カルボキシ基若しくはリン酸基を有するアニリノ基、又は、同ナフチルアミノ基であり、
該アニリノ基又はナフチルアミノ基は、ヒドロキシ基、アルコキシ基、ウレイド基、アセチルアミノ基、ニトロ基及び塩素原子より成る群から選択される１種又は２種以上の置換基を、さらに０〜３個有しても良い、
上記（１）乃至（３）のいずれか一項に記載のポルフィラジン色素混合物又はその塩、
（５）
環Ａ乃至Ｄにおける前記含窒素複素芳香環の個数が、平均値で０．２〜０．９であり、残りがベンゼン環であり、
ｂが平均値で０．０〜３．７であり、
ｃは平均値で０．１〜３．８であり、
且つｂおよびｃの和は、平均値で３．１〜３．８である上記（１）乃至（４）のいずれか一項に記載のポルフィラジン色素混合物又はその塩、
【００２４】
（６）
環Ａ乃至Ｄにおける前記含窒素複素芳香環の個数が平均値で０．２５〜０．８５であり、残りがベンゼン環であり、
ＥがＣ２−Ｃ４アルキレンを表し、
Ｘ及びＹが、それぞれ独立してスルホ基又はカルボキシ基で置換されたアニリノ基であり、
ｂが平均値で０．００〜３．０５であり、
ｃが平均値で０．１０〜３．７５であり、
且つｂおよびｃの和は、平均値で３．１５〜３．７５である、上記（１）乃至（５）のいずれか一項に記載のポルフィラジン色素混合物又はその塩、
（７）
Ｘ及びＹが、それぞれ独立してスルホ基で置換されたアニリノ基である上記（１）乃至（６）のいずれか一項に記載のポルフィラジン色素混合物又はその塩。
（８）
環Ａ乃至Ｄにおける前記含窒素複素芳香環がピリジン環であり、且つ該ピリジン環の縮環位置が、ピリジン環の窒素原子を１位として２位及び３位であり、且つ該ピリジン環の個数が平均値で０．５０〜０．８５であり、残りがベンゼン環であり、
Ｅがエチレン又はプロピレンであり、
Ｘ及びＹが、それぞれ独立して置換基としてスルホ基を有するアニリノ基であり、
ｂが平均値で０．００〜３．４０であり、
ｃが平均値で０．１０〜３．５０であり、
且つｂおよびｃの和は、平均値で３．１５〜３．５０である、上記（１）乃至（６）のいずれか一項に記載のポルフィラジン色素混合物又はその塩、
【００２５】
（９）
上記（１）乃至（８）のいずれか一項に記載のポルフィラジン色素混合物又はその塩を、色素として含有し、さらに水を含有するインク組成物、
（１０）
さらに有機溶剤を含有する上記（９）に記載のインク組成物、
（１１）
インクジェット記録用である上記（９）又は（１０）に記載のインク組成物、
（１２）
上記（１）乃至（８）のいずれか一項に記載のポルフィラジン色素混合物又はその塩、及び水を含有するインク組成物のインク滴を記録信号に応じて吐出させて被記録材に付着させることにより記録を行うインクジェット記録方法、
（１３）
被記録材が情報伝達用シートである上記（１２）に記載のインクジェット記録方法、
（１４）
情報伝達用シートが表面処理されたシートであって、支持体上に白色無機顔料粒子を含有するインク受容層を有するシートである上記（１３）に記載のインクジェット記録方法、
【００２６】
（１５）
上記（１）乃至（８）のいずれか一項に記載のポルフィラジン色素混合物又はその塩、及び水を含有するインク組成物を含有する容器、
（１６）
上記（１５）に記載の容器が装填されたインクジェットプリンタ、
（１７）
上記（１）乃至（８）のいずれか一項に記載のポルフィラジン色素混合物又はその塩、及び水を含有するインク組成物で着色された着色体、
（１８）
Ｘ及びＹが、それぞれ独立して３−スルホアニリノ基又は４−スルホアニリノ基である上記（１）乃至（８）のいずれか１項に記載のポルフィラジン色素混合物又はその塩、
に関する。
【発明の効果】
【００２７】
本発明の色素を用いたインク組成物は、シアンインクとして良好な色相を有する。また本発明のインク組成物により得られる記録画像はブロンズ現象を起こさず、耐オゾン性も良好であり、色相、ブロンズ現象の生じにくさ、及び耐オゾン性のバランスに優れる。また、長期間保存後の固体析出、物性変化、色変化等もなく、貯蔵安定性が良好である。
従って、本発明のポルフィラジン色素又はその塩を含有するシアンインクは、インクジェット記録用インクとして極めて有用である。
【発明を実施するための最良の形態】
【００２８】
本発明を詳細に説明する。
本発明の前記式（１）で表されるポルフィラジン色素又はその塩は、テトラベンゾポルフィラジン（通常、フタロシアニンと呼ばれているもの）の４つのベンゾ（ベンゼン）環の内、０個より大きく１個未満を含窒素複素芳香環に置き換えた化合物に、無置換スルファモイル基、及び特定の置換スルファモイル基を導入したポルフィラジン色素又はその塩であり、実質的に混合物である。なお、本明細書においては便宜上、以下「本発明のポルフィラジン色素又はその塩」を、特に断りの無い限り、「本発明のポルフィラジン色素」と簡略化して記載する。【００２９】
前記式（１）中、破線で表される環Ａ乃至Ｄ（環Ａ、Ｂ、Ｃ及びＤの４つの環）における含窒素複素芳香環としては、例えば、ピリジン環、ピラジン環、ピリミジン環及びピリダジン環等の窒素原子１〜２個を含む含窒素複素芳香環が挙げられる。これらの中ではピリジン環又はピラジン環が好ましく、ピリジン環がより好ましい。
含窒素複素芳香環の個数は、本願においては、通常平均値で、０．００より大きく１．００未満、好ましくは０．１以上０．９５以下、より好ましくは０．２以上０．９以下、更に好ましくは０．２以上０．８５以下、特に好ましくは０．２５以上０．８５以下、最も好ましくは０．５以上０．８５以下の範囲である。残りの環Ａ乃至Ｄはベンゼン環であり、環Ａ乃至Ｄにおけるベンゼン環は、通常平均値で、３．００より大きく４．００未満、好ましくは３．０５以上３．９以下、より好ましくは３．１以上３．８以下、場合により３．１５以上３．８以下、更に好ましくは３．１５以上３．７５以下、特に好ましくは３．１５以上３．５以下である。但し、Ｘ及びＹが、それぞれ独立に、置換基としてカルボキシ基を１〜３個有するアニリノ基で、ｂは平均値で０以上３．４までであり、ｃは平均値で０．１以上３．５までであり、且つｂおよびｃの和は、１．０から３．５までの場合、含窒素複素芳香環の個数は平均値で０．０を超えて０．５未満である。
含窒素複素芳香環がポルフィラジン環へ縮環する位置は、該複素芳香環における２つの連続した炭素原子を有する位置であれば特に制限されない。含窒素複素芳香環が、ピリジン環であれば２位及び３位若しくは５位及び６位、又は、３位及び４位若しくは４位及び５位、好ましくは前者；ピラジン環であれば２位及び３位；ピリミジン環であれば４位及び５位；ピリダジン環であれば３位及び４位、又は４位及び５位；が良い。【００３０】
本発明のポルフィラジン色素は、環Ａ乃至Ｄの含窒素複素環の個数を平均値で表していることから明らかなように、複数の色素の色素混合物である。より具体的には、本発明のポルフィラジン色素は、環Ａ乃至Ｄの全てがベンゼン環のポルフィラジン色素、及び、環Ａ乃至Ｄの１つ又は２つ以上が６員環の含窒素複素芳香環であるポルフィラジン色素との混合物である。これらの各成分を単離することは難しいこと、実用的には混合物のままで支障が無いことから、本願における「ベンゼン環又は６員環の含窒素複素芳香環の個数」は、該混合物における１分子当たりのベンゼン環又は６員環の含窒素複素芳香環の個数の平均値を表す。
なお、本明細書においては、特に断りの無い限り、該含窒素複素芳香環の個数及びｂ又はｃで表される置換基の個数は、必要に応じて、小数点以下２桁目又は３桁目を四捨五入して１桁目又は２桁目までを記載する。【００３１】
前記式（１）中、Ｅにおけるアルキレンとしては、例えばＣ２−Ｃ１２の直鎖、分岐鎖又は環状アルキレンが挙げられ、直鎖又は環状が好ましく、直鎖がより好ましい。炭素数としては、好ましくはＣ２−Ｃ６、より好ましくはＣ２−Ｃ４、更に好ましくはＣ２−Ｃ３アルキレンが挙げられる。
Ｅにおけるアルキレンの具体例としてはエチレン、プロピレン、ブチレン、ペンチレン、へキシレン、ヘプチレン、オクチレン、ノニレン、デシレン、ウンデシレン、ドデシレン等の直鎖のもの；２−メチルエチレン等の分岐鎖のもの；シクロプロピレンジイル、１，２−又は１，３−シクロペンチレンジイル、１，２−、１，３−又は１，４−シクロへキシレンジイル等に代表される環状のもの；等が挙げられる。Ｅにおけるアルキレンの好ましい具体例は、エチレン、プロピレン又はブチレンであり、より好ましくはエチレン又はプロピレン、更に好ましくはエチレンである。【００３２】
前記式（１）中、Ｘ及びＹは、それぞれ独立して、置換基としてスルホ基、カルボキシ基又はリン酸基を有する、アニリノ基又は同ナフチルアミノ基を表す。該アニリノ基又は該ナフチルアミノ基は、置換基として、スルホ基、カルボキシ基及びリン酸基からなる群から選択される何れか一つの基を有する。
該アニリノ基又は該ナフチルアミノ基として好ましくは、スルホ基又はカルボキシ基で置換されたアニリノ基又は同ナフチルアミノ基である。より好ましくはスルホ基で置換されたアニリノ基又は同ナフチルアミノ基であり；更に好ましくはスルホ基で置換されたアニリノ基である。
スルホ基、カルボキシ基又はリン酸基の置換位置は特に制限されないが、アニリノ基の場合には２位、３位又は４位、好ましくは３位又は４位、より好ましくは４位；ナフチルアミノ基の場合には、アミノ基の置換位置を１位又は２位として、３位、５位、６位、７位及び８位の何れかに置換するのが好ましい。
また該ナフチルアミノ基としては、アミノ基の置換位置は１位又は２位が好ましい。
該アニリノ基の置換基が一つの場合の具体例としては、２−スルホアニリノ、３−スルホアニリノ、４−スルホアニリノといったスルホ基で置換されたもの；２−カルボキシアニリノ、３−カルボキシアニリノ、４−カルボキシアニリノといったカルボキシで置換されたもの；２−ホスホアニリノ、３−ホスホアニリノ、４−ホスホアニリノといったリン酸基で置換されたもの；が挙げられる。
該ナフチルアミノ基の置換基が一つの場合の具体例としては、６−スルホ−１−ナフチルアミノ、６−スルホ−２−ナフチルアミノ等のスルホ基で置換されたもの；６−カルボキシ−１−ナフチルアミノ、６−カルボキシ−２−ナフチルアミノ等のカルボキシ基で置換されたもの；６−ホスホ−１−ナフチルアミノ、６−ホスホ−２−ナフチルアミノ等のリン酸基で置換されたもの；等が挙げられる。【００３３】
前記Ｘ及びＹにおける、置換基としてスルホ基、カルボキシ基又はリン酸基を有するアニリノ基又は同ナフチルアミノ基は、さらに（１）スルホ基、（２）カルボキシ基、（３）リン酸基、（４）スルファモイル基、（５）カルバモイル基、（６）ヒドロキシ基、（７）アルコキシ基、（８）アミノ基、（９）モノアルキルアミノ基、（１０）ジアルキルアミノ基、（１１）モノアリールアミノ基、（１２）ジアリールアミノ基、（１３）アセチルアミノ基、（１４）ウレイド基、（１５）アルキル基、（１６）ニトロ基、（１７）シアノ基、（１８）ハロゲン原子、（１９）アルキルスルホニル基、（２０）アルキルチオ基、（２１）アリールオキシ基及び（２２）ヘテロ環基より成る２２種の置換基からなる群から選択される１種又は２種以上、好ましくは１種乃至３種、より好ましくは１種又は２種、更に好ましくは１種の置換基で置換されてもよい。
この２２種の置換基からなる群から選択される基での置換数は、Ｘ及びＹが前記アニリノ基である場合は、通常０乃至３、好ましくは０乃至２、より好ましくは０又は１、更に好ましくは０であり；Ｘ及びＹが前記ナフチルアミノ基である場合は、通常０乃至３、好ましくは０乃至２である。【００３４】
２２種の置換基からなる群から選択される基におけるアルコキシ基としては、直鎖、分岐鎖又は環状のＣ１−Ｃ６、好ましくはＣ１−Ｃ４、より好ましくはＣ１−Ｃ３アルコキシ基が挙げられる。直鎖又は分岐鎖アルコキシが好ましく、直鎖がより好ましい。
具体例としては、メトキシ、エトキシ、ｎ−プロポキシ、ｎ−ブトキシ、ｎ−ペントキシ、ｎ−ヘキシロキシ等の直鎖アルコキシ；イソプロポキシ、イソブトキシ、ｔ−ブトキシ、イソペントキシ、イソヘキシロキシ等の分岐鎖アルコキシ；シクロプロポキシ、シクロペントキシ、シクロヘキシロキシ等の環状アルコキシ；等が挙げられる。【００３５】
２２種の置換基からなる群から選択される基におけるモノアルキルアミノ基としては、直鎖又は分岐鎖のモノＣ１−Ｃ４、好ましくはモノＣ１−Ｃ３アルキルアミノ基が挙げられる。具体例としては、メチルアミノ、エチルアミノ、ｎ−プロピルアミノ、ｎ−ブチルアミノ等の直鎖アルキルアミノ；イソプロピルアミノ、イソブチルアミノ、ｔ−ブチルアミノ等の分岐鎖アルキルアミノ；等が挙げられる。【００３６】
２２種の置換基からなる群から選択される基におけるジアルキルアミノ基としては、前記モノアルキルアミノ基で挙げたアルキルである、直鎖又は分岐鎖のＣ１−Ｃ４、好ましくはＣ１−Ｃ３アルキルを、独立に２つ有するジアルキルアミノ基が挙げられる。具体例としては、ジメチルアミノ、ジエチルアミノ、メチルエチルアミノ等が挙げられる。【００３７】
２２種の置換基からなる群から選択される基におけるモノアリールアミノ基としては、モノＣ６−Ｃ１０芳香族アミノ基、好ましくはフェニルアミノ基又はナフチルアミノ基、より好ましくはフェニルアミノ基が挙げられる。【００３８】
２２種の置換基からなる群から選択される基におけるジアリールアミノ基としては、前記モノアリールアミノ基で挙げたアリールである、Ｃ６−Ｃ１０芳香族、好ましくはフェニル又はナフチル、より好ましくはフェニルを、独立に２つ有するジアリールアミノ基が挙げられる。好ましくは同一のアリール、より好ましくはフェニルを２つ有するアミノ基が挙げられる。その具体例としてはジフェニルアミノが挙げられる。【００３９】
２２種の置換基からなる群から選択される基におけるアルキル基としては、直鎖、分岐鎖又は環状のＣ１−Ｃ６、好ましくはＣ１−Ｃ４、より好ましくはＣ１−Ｃ３アルキル基が挙げられる。直鎖又は分岐鎖のアルキル基が好ましく、直鎖のアルキル基がより好ましい。具体例としては、メチル、エチル、ｎ−プロピル、ｎ−ブチル、ｎ−ペンチル、ｎ−ヘキシル等の直鎖アルキル；イソプロピル、イソブチル、イソペンチル、イソヘキシル等の分岐鎖アルキル；シクロプロピル、シクロペンチル、シクロヘキシル等の環状アルキル；等が挙げられる。【００４０】
２２種の置換基からなる群から選択される基におけるハロゲン原子としては、フッ素原子、塩素原子及び臭素原子が挙げられ、フッ素原子又は塩素原子が好ましく、塩素原子がより好ましい。【００４１】
２２種の置換基からなる群から選択される基におけるアルキルスルホニル基としては、直鎖又は分岐鎖のＣ１−Ｃ６、好ましくはＣ１−Ｃ４、より好ましくはＣ１−Ｃ３アルキルで置換されたスルホニル基が挙げられる。該アルキルとしては、直鎖のアルキルが好ましい。具体例としては、メタンスルホニル、エタンスルホニル、プロパンスルホニル等の直鎖アルキルスルホニル；イソプロピルスルホニル等の分岐鎖アルキルスルホニル；等が挙げられる。【００４２】
２２種の置換基からなる群から選択される基におけるアルキルチオ基としては、直鎖又は分岐鎖のＣ１−Ｃ６、好ましくはＣ１−Ｃ４、より好ましくはＣ１−Ｃ３アルキルチオ基が挙げられる。該アルキルとしては、直鎖のアルキルが好ましい。具体例としては、メチルチオ、エチルチオ、プロピルチオ、ブチルチオ等の直鎖アルキルチオ；イソプロピルチオ等の分岐鎖アルキルチオ；等が挙げられる。【００４３】
２２種の置換基からなる群から選択される基におけるアリールオキシ基としては、Ｃ６−Ｃ１０の単環又は縮環構造のアリールオキシ基が挙げられ、より好ましくはフェノキシ又はナフチロキシ、さらに好ましくはフェノキシである。該アリールオキシ基は、置換基としてハロゲン原子、好ましくは塩素原子、Ｃ１−Ｃ４アルコキシ基、ニトロ基又はスルホ基を有してもよく、非置換でもよい。該アリールオキシ基の具体例としてはフェノキシ、１−ナフチロキシ及び２−ナフチロキシ等の非置換アリールオキシ基；２，４−ジクロロフェノキシ、４−クロロフェノキシ等のハロゲン原子、好ましくは塩素原子置換アリールオキシ基；４−メトキシフェノキシ等のＣ１−Ｃ４アルコキシ置換アリールオキシ基；２−ニトロフェノキシ、４−ニトロフェノキシ等のニトロ置換アリールオキシ基；２−スルホ−６−ナフチロキシ等のスルホ置換アリールオキシ基；等が挙げられる。【００４４】
２２種の置換基からなる群から選択される基におけるヘテロ環基としては、異項原子を含有する５乃至６員環が挙げられ、そのうち、窒素原子、酸素原子又は／及び硫黄原子を含有する複素芳香環基が好ましい。具体的には、ピリジン−３−イル、ピリジン−４−イル、６−カルボキシピリジン−３−イル等の非置換又はカルボキシ置換含窒素複素芳香環基、好ましくは非置換又はカルボキシ置換ピリジン環基；チオフェン−２−イル、５−クロロチオフェン−２−イル等の含硫黄複素芳香環基、好ましくは非置換又は塩素原子置換チオフェン基；フラン−２−イル等の含酸素複素芳香環基、好ましくは非置換フラン環基が挙げられる。【００４５】
前記Ｘ及びＹの前記アニリノ基又は前記ナフチル基が、２２種の置換基からなる群から選択される基を１又は２個有する場合の具体例としては、２，５−ジスルホアニリノ、２，４−ジスルホアニリノ、２−カルボキシ−４−スルホアニリノ、２−カルボキシ−５−スルホアニリノ、４−エトキシ−２−スルホアニリノ、４−アニリノ−３−スルホアニリノ、４−アセチルアミノ−２−スルホアニリノ、２−メチル−５−スルホアニリノ、２−クロロ−５−スルホアニリノ等の、スルホ基で置換されたアニリノ基に、更にスルホ基、カルボキシ基、アルコキシ基、モノアリールアミノ基、アセチルアミノ基、アルキル基又はハロゲン原子が置換したもの；２−メトキシ−４−ニトロ−５−スルホアニリノ、３−カルボキシ−４−ヒドロキシ−５−スルホアニリノ、２−ヒドロキシ−５−ニトロ−３−スルホアニリノ、３，５−ジクロロ−４−スルホアニリノ等の、スルホ基で置換されたアニリノ基に、さらに２種又は２つの基が置換したもの；３−カルボキシ−４−ヒドロキシアニリノ、３，５−ジカルボキシアニリノ等の、カルボキシ基で置換されたアニリノ基に、さらにヒドロキシ基又はカルボキシ基が置換したもの；５，７−ジスルホナフタレン−２−イルアミノ、６，８−ジスルホナフタレン−２−イルアミノ、３，６−ジスルホナフタレン−１−イルアミノ、３，８−ジスルホナフタレン−１−イルアミノ、４，８−ジスルホナフタレン−２−イルアミノ、８−ヒドロキシ−６−スルホナフタレン−２−イルアミノ、５−ヒドロキシ−７−スルホナフタレン−２−イルアミノ等の、スルホ基で置換されたナフチルアミノ基に、更にスルホ基又はヒドロキシ基が置換したもの；３，６，８−トリスルホナフタレン−１−イルアミノ、３，６，８−トリスルホナフタレン−２−イルアミノ、４，６，８−トリスルホナフタレン−２−イルアミノ、８−ヒドロキシ−３，６−ジスルホナフタレン−１−イルアミノ、８−クロロ−３，６−ジスルホナフタレン−１−イルアミノ等の、スルホ基で置換されたナフチルアミノ基に、更に２つ又は２種の基が置換したもの；等が挙げられる。【００４６】
２２種の置換基からなる群から選択される基としては、スルホ基、カルボキシ基、アルコキシ基、モノアリールアミノ基、アセチルアミノ基、アルキル基又はハロゲン原子（好ましくは塩素原子）が好ましく、スルホ基又はカルボキシ基がより好ましい。場合により、スルホ基、カルボキシ基、リン酸基、ヒドロキシ基、アルコキシ基より好ましくはＣ１−Ｃ６アルコキシ基、ウレイド基、アセチルアミノ基、ニトロ基又は塩素原子が好ましく、スルホ基又はヒドロキシ基がより好ましい。２２種の置換基からなる群から選択される基としてはスルホ基が更に好ましい。【００４７】
前記Ｘ及びＹにおける、置換基としてスルホ基、カルボキシ基又はリン酸基を有するアニリノ基又は同ナフチルアミノ基は、場合により、更に前記２２種の置換基からなる群から選択される１種又は２種以上の基で更に置換されてもよい。しかし、通常は該アニリノ基及び該ナフチルアミノ基は、該２２種の置換基からなる群から選択される基を有しないほうが好ましい。即ち、前記Ｘ及びＹは、置換基としてスルホ基、カルボキシ基又はリン酸基を有し、他の置換基を有しないアニリノ基又は同ナフチルアミノ基が好ましい。より好ましくは、置換基としてスルホ基一つを有し、他の置換基を有しないスルホアニリノ基である。【００４８】
本明細書において、前記式（１）におけるｂ、ｃ及び、ｂ及びｃの和として記載された数値は、いずれも、前記本発明のポルフィラジン色素における平均値である。環Ａ乃至Ｄにおける含窒素複素芳香環又はベンゼン環の個数について述べたのと同様、本発明の前記式（１）で表されるポルフィラジン色素は、異なるｂ及びｃの値を有する複数の色素の混合物であり、本発明においては、該混合物をその平均値の数の置換基を有する化合物として取り扱う。
ｂは０．００以上３．９０未満であり、ｃは０．１０以上４．００未満であり、ｂ及びｃの和は、平均値で３．００より大きく４．００未満である。より好ましくはｂが０以上３．７以下、ｃが０．１以上３．８以下であって、且つ、ｂ及びｃの和は３．１以上３．８以下である。より好ましくは、ｂが２．０５以上３．２５以下であり、ｃが０．５以上１．１以下であって、且つ、ｂ及びｃの和が３．１以上３．８以下である。更に好ましくは、ｂが２．１５以上で、３以下、ｃが０．６以上で、１以下であり、且つ、ｂ及びｃの和が３．１以上で、３．８以下、好ましくは３．１５以上で、３．５以下である。
このとき、環Ａ乃至Ｄにおける含窒素複素芳香環は、平均値で０．００より大きく１．００未満、ベンゼン環は３．００より大きく４．００未満であり、本発明のポルフィラジン色素においては、ｂ及びｃの和は、ベンゼン環の数と一致する。
好ましくは、環Ａ乃至Ｄにおける含窒素複素芳香環が０．２〜０．９、ベンゼン環が３．１〜３．８のとき、ｂが０．０〜３．７、ｃが０．１〜３．８であって、且つ、ｂ及びｃの和は３．１〜３．８、好ましくは、ｂが２．０５〜３．２５であり、ｃが０．５〜１．１であって、且つ、ｂ及びｃの和が３．１〜３．８である。【００４９】
より好ましくは、環Ａ乃至Ｄにおける含窒素複素芳香環が０．２０以上０．８５以下、ベンゼン環が３．１５以上３．８０以下のとき、ｂが１．８５以上３．５０以下であり、ｃが０．３０以上１．３０以下であって、且つ、ｂ及びｃの和は３．１５以上３．８０以下である。
更に好ましくは、環Ａ乃至Ｄにおける含窒素複素芳香環が０．２５以上０．８５以下、ベンゼン環が３．１５以上３．７５以下のとき、ｂが０．００以上３．０５以下、ｃが０．１０以上３．７５以下、且つ、ｂ及びｃの和が３．１５以上３．７５以下、好ましくは、ｂが２．０５以上３．２５以下であり、ｃが０．５０以上１．１０以下であって、且つ、ｂ及びｃの和が３．１５以上３．７５以下である。
特に好ましくは、環Ａ乃至Ｄにおける含窒素複素芳香環が０．５０以上０．８５以下、ベンゼン環が３．１５以上３．５０以下のとき、ｂが０．００以上３．４０以下、ｃが０．１０以上３．５０以下、且つ、ｂ及びｃの和が３．１５以上３．５０以下、好ましくは、ｂが２．１５以上２．９０以下であり、ｃが０．６０以上１．００以下であって、且つ、ｂ及びｃの和が３．１５以上３．５０以下である。【００５０】
なお、ｂ及びｃでそれぞれの置換数を表している非置換スルファモイル基及び置換スルファモイル基はいずれも、環Ａ乃至Ｄがベンゼン環である場合に、該ベンゼン環上に置換する基であり、環Ａ乃至Ｄが６員環の含窒素複素芳香環である場合には置換しない。
なお、本明細書においては、ｂ、ｃ並びにｂ及びｃの和は、必要に応じて、小数点以下２桁目又は３桁目を四捨五入して、１桁目又は２桁目までを記載する。【００５１】
前記式（１）の環Ａ乃至Ｄ、Ｅ、Ｘ、Ｙ、ｂ及びｃにおいて、好ましいもの同士を組合せた色素はより好ましく、より好ましいもの同士を組合せた色素は更に好ましい。更に好ましいもの同士等の組合せについても同様である。【００５２】
好ましい本発明のポルフィラジン色素を具体的に挙げれば、下記の通りである。なお、環Ａ乃至Ｄにおける含窒素複素芳香環又はベンゼン環の個数、ｂ、ｃ並びにｂ及びｃの和は、いずれも平均値である。
（ｉ）
前記式（１）において、環Ａ乃至Ｄがそれぞれ独立にポルフィラジン環に縮環したベンゼン環又は６員環の含窒素複素芳香環を表し、環Ａ乃至Ｄにおける含窒素複素芳香環の個数は平均値で０．００より大きく１．００未満であって、残りはベンゼン環であり、
ＥがＣ２−Ｃ１２アルキレンであり、
Ｘ及びＹは、それぞれ独立して、置換基として、スルホ基、カルボキシ基及びリン酸基からなる群から選択される一つの基を有するアニリノ基又は同ナフチルアミノ基であって、
該アニリノ基又は該ナフチルアミノ基は、更に、スルホ基、カルボキシ基、リン酸基、スルファモイル基、カルバモイル基、ヒドロキシ基、アルコキシ基、アミノ基、モノ又はジアルキルアミノ基、モノ又はジアリールアミノ基、アセチルアミノ基、ウレイド基、アルキル基、ニトロ基、シアノ基、ハロゲン原子、アルキルスルホニル基、アルキルチオ基、アリールオキシ基及び５乃至６員環であるヘテロ環基よりなる群から選択される１種又は２種以上の基で置換されてもよく、
ｂは平均値で０．００以上３．９０未満であり、
ｃは平均値で０．１０以上４．００未満であり、
且つ、ｂおよびｃの和は、平均値で３．００より大きく４．００未満である、ポルフィラジン色素又はその塩、
但し、Ｘ及びＹが、それぞれ独立に、置換基としてカルボキシ基を１〜３個有するアニリノ基で、ｂは平均値で０以上３．４までであり、
ｃは平均値で０．１以上３．５までであり、
且つｂおよびｃの和は、１．０から３．５までの場合、
含窒素複素芳香環の個数は平均値で０．０より大きく０．５未満である。【００５３】
（ｉｉ）
Ｘ及びＹが、それぞれ独立して、置換基としてスルホ基を一つ有するアニリノ基又は同ナフチルアミノ基である、上記（ｉ）に記載のポルフィラジン色素又はその塩。
（ｉｉｉ）
Ｘ及びＹが、それぞれ独立してスルホ基一つで置換され、その他の置換基を有しないアニリノ基である、上記（ｉｉ）に記載のポルフィラジン色素又はその塩。
（ｉｖ）
ＥがＣ２−Ｃ６アルキレン、好ましくはＣ２−Ｃ４アルキレン、より好ましくはエチレン又はプロピレン、さらに好ましくはエチレンである上記（ｉ）〜（ｉｉｉ）の何れか一項に記載のポルフィラジン色素又はその塩。
（ｖ）
環Ａ乃至Ｄで表される６員環の含窒素複素芳香環が、ピリジン環又はピラジン環である、上記（ｉ）〜（ｉｖ）の何れか一項に記載のポルフィラジン色素又はその塩。
（ｖｉ）
環Ａ乃至Ｄで表される６員環の含窒素複素芳香環が、ピリジン環である、上記（ｖ）に記載のポルフィラジン色素又はその塩。【００５４】
（ｖｉｉ）
環Ａ乃至Ｄにおける含窒素複素芳香環が０．２以上０．９以下、ベンゼン環が３．１以上３．８以下であって、ｂが０．０以上３．７以下、ｃが０．１以上３．８以下、且つ、ｂ及びｃの和は３．１以上３．８以下であり、好ましくは、ｂが２．０５以上３．２５以下であり、ｃが０．５以上１．１以下であって、且つ、ｂ及びｃの和が３．１以上３．８以下である、上記（ｉ）〜（ｖｉ）の何れか一項に記載のポルフィラジン色素又はその塩。
（ｖｉｉｉ）
環Ａ乃至Ｄにおける含窒素複素芳香環が０．２５以上０．８５以下、ベンゼン環が３．１５以上３．７５以下であって、ｂが０．００以上３．０５以下、ｃが０．１０以上３．７５以下、且つ、ｂ及びｃの和は３．１５以上３．７５以下であり、好ましくは、ｂが２．０５以上３．２５以下であり、ｃが０．５０以上１．１０以下、且つ、ｂ及びｃの和は３．１５以上３．７５以下である、上記（ｉ）〜（ｖｉ）の何れか一項に記載のポルフィラジン色素又はその塩。
（ｉｘ）
環Ａ乃至Ｄにおける含窒素複素芳香環が０．５０以上０．８５以下、ベンゼン環が３．１５以上３．５０以下であって、ｂが０．００以上３．４０以下、ｃが０．１０以上３．５０以下、且つ、ｂ及びｃの和は３．１５以上３．７５以下、好ましくは、ｂが２．１５以上２．９０以下であり、ｃが０．６０以上１．００以下、且つ、ｂ及びｃの和は３．１５以上３．５０以下である、上記（ｉ）〜（ｖｉ）の何れか一項に記載のポルフィラジン色素又はその塩。
（ｘ）
Ｘ及びＹが、それぞれ独立して３−スルホアニリノ基又は４−スルホアニリノ基である上記（ｉ）〜（ｉｘ）の何れか１項に記載のポルフィラジン色素又はその塩。
（ｘｉ）
Ｘ及びＹが、一方が３−スルホアニリノ基、他方が４−スルホアニリノ基である上記（ｘ）に記載のポルフィラジン色素又はその塩。【００５５】
前記式（１）で表される色素は分子内に有するスルホ基、カルボキシ基及びリン酸基等を利用して塩を形成することが可能であり、塩を形成している場合、無機金属、アンモニア又は有機塩基の各カチオンと塩を形成するのが好ましい。
無機金属としてはアルカリ金属やアルカリ土類金属が挙げられる。アルカリ金属の例としては、リチウム、ナトリウム及びカリウム等が挙げられる。アルカリ土類金属としては、例えばカルシウム及びマグネシウム等が挙げられる。
有機塩基としては、特に有機アミンが挙げられ、例えばメチルアミン及びエチルアミン等の炭素数１から３の低級アルキルアミン類、モノエタノールアミン、ジエタノールアミン、トリエタノールアミン、モノイソプロパノールアミン、ジイソプロパノールアミン及びトリイソプロパノールアミン等のモノ、ジ又はトリ（Ｃ１−Ｃ４アルカノール）アミン類が挙げられる。
これらの中でもより好ましい塩としてはナトリウム、カリウム及びリチウム等のアルカリ金属の塩；モノエタノールアミン、ジエタノールアミン、トリエタノールアミン、モノイソプロパノールアミン、ジイソプロパノールアミン及びトリイソプロパノールアミン等のモノ、ジ又はトリ（炭素数１から４の低級アルカノール）アミンの４級アンモニウム塩；並びに、アンモニウム塩が挙げられる。【００５６】
本発明の前記式（１）で表されるポルフィラジン色素における、環Ａ乃至Ｄ、Ｅ、Ｘ及びＹの具体例、並びにｂとｃの数の平均値を表１に示す。
下記の例は、本発明の色素を具体的に説明するために代表的な色素を示すものであり、下記の例に限定されるものではない。
表中、「２，３−ピリド」は２位及び３位でポルフィラジン環に縮環したピリジン環、「ベンゾ」は上記の通りポルフィラジン環に縮環したベンゼン環を表し、該記載の横の数値は、環Ａ乃至Ｄにおける、各環の個数（平均値）を表す。【００５７】
【表１】
0005458022.tif 000005
【００５８】
0005458022.tif 000006
【００５９】
0005458022.tif 000007
【００６０】
0005458022.tif 000008
【００６１】
本発明のポルフィラジン色素は、通常、他の色素を配合することなく用いることができるが、場合により、本発明の効果を阻害しない範囲で公知のシアン色素と配合して使用してもよい。
公知のシアン色素と配合して使用する場合、配合する色素としてはフタロシアニン系色素が好ましい。【００６２】
前記式（１）で表される色素の製造方法を説明する。
本発明の前記式（１）で表される色素は、前記式（３）で表されるポルフィラジン化合物と、前記式（４）で表される有機アミンとを、アンモニア存在下で反応させることにより得ることができる。
前記式（３）で表されるポルフィラジン化合物は、いずれも公知の方法又はそれに準じた方法により下記式（６）で表される化合物を合成した後、これをクロロスルホニル化することにより、得ることができる。【００６３】
即ち、下記式（６）で表される化合物は、例えば、ＷＯ２００７／０９１６３１号及びＷＯ２００７／１１６９３３号に開示された公知の方法に準じて合成することができる。これらの公知文献は、環Ａ乃至Ｄにおける含窒素複素芳香環の個数が１未満の化合物に関する製造方法を開示していない。しかし、公知のニトリル法又はワイラー法にて合成を行う際に、反応原料として使用する含窒素複素芳香環ジカルボン酸誘導体と、フタル酸誘導体の配合比率を変化させることにより、環Ａ乃至Ｄにおける含窒素複素芳香環の個数が１未満である式（６）で表される化合物も合成することができる。なお、得られる式（６）で表される化合物は、環Ａ乃至Ｄにおける含窒素複素芳香環の置換位置、及び含窒素複素芳香環中の窒素原子の置換位置に関する位置異性体の混合物となることも、前記公知文献に記載の通りである。
本発明のポルフィラジン色素は、環Ａ乃至Ｄにおける含窒素複素芳香環の個数が平均値で１未満であることから、下記式（６）で表される化合物は、環Ａ乃至Ｄの全てがベンゼン環のポルフィラジン色素と、環Ａ乃至Ｄの１つ（主成分）または２つ以上が６員環の含窒素複素芳香環であるポルフィラジン色素との混合物である。【００６４】
0005458022.tif 000009
【００６５】
［式中、環Ａ乃至Ｄは前記と同じ意味を表す。］。【００６６】
前記式（３）で表されるポルフィラジン化合物は、ＷＯ２００７／０９１６３１号及びＷＯ２００７／１１６９３３号に開示された公知の方法又はそれに準じた方法に従って、上記式（６）で表される化合物をクロロスルホニル化することにより得ることができる。式（３）におけるクロロスルホニル基は、環Ａ乃至Ｄにおけるベンゼン環上に導入され、環Ａ乃至Ｄが含窒素複素芳香環基に相当する場合、その含窒素複素芳香環上には導入されない。ベンゼン環上には通常１つのクロロスルホニル基が導入されるので、式（３）におけるｎの数は、環Ａ乃至Ｄにおけるベンゼン環の数以内である。従って、式（３）におけるクロロスルホニル基の数「ｎ」は、式（３）で表されるポルフィラジン化合物のベンゼン環の数に応じて３．００より大きく４．００未満である。また、式（３）におけるｎの数は、環Ａ乃至Ｄにおけるベンゼン環の数に応じて、好ましくは３．０５以上３．９０以下、より好ましくは３．１０以上３．８０以下、更に好ましくは３．１５以上３．７５以下、特に好ましくは３．１５以上３．５０以下である。
上記以外の式（３）で表されるポルフィラジン化合物の合成方法としては、下記の方法が挙げられる。予めスルホ基を有するスルホフタル酸とキノリン酸等の含窒素複素芳香環ジカルボン酸誘導体とを縮合閉環させる事により、スルホ基を有するポルフィラジン化合物を合成し、その後、該化合物中のスルホ基を塩化チオニル等の適当な塩素化剤でクロロスルホニル基へと変換することにより、目的とする式（３）で表されるポルフィラジン化合物を得る事もできる。この場合、合成原料であるスルホフタル酸のスルホ基の置換位置が３位のものと４位のものとを選択することにより、式（３）で表されるポルフィラジン化合物上に導入されるスルホ基の置換位置を制御することができる。即ち、３−スルホフタル酸を用いれば下記式（１０）における「α」位に、又、４−スルホフタル酸を用いれば同様に「β」位に、それぞれ選択的にスルホ基を導入することができる。なお本明細書においては特に断りの無い限り、「ポルフィラジン環のα位」又は「ポルフィラジン環のβ位」との用語は、下記式（１０）において相当する位置を意味する。【００６７】
0005458022.tif 000010
【００６８】
一方、前記式（４）で表される有機アミンも、公知の方法で製造することができる。
例えば、Ｘに対応するアニリン類又はナフチルアミン類０．９５〜１．１モルと、２，４，６−トリクロロ−Ｓ−トリアジン（塩化シアヌル）１モルとを水中で、おおよそｐＨ２．５〜７、反応温度０〜４０℃の条件下で２〜１２時間反応させて、１次縮合物を得る。
次いで、１次縮合物の反応液に、Ｙに対応するアニリン類又はナフチルアミン類０．９５〜１．１モルを加え、おおよそｐＨ４〜１０、反応温度５〜８０℃の条件下で０．５〜１２時間反応させることにより２次縮合物を得る。次いで、得られた２次縮合物１モルと、Ｅに対応するアルキレンジアミン類１〜５０モルとを、おおよそｐＨ９〜１２、反応温度５〜９０℃の条件下で０．５〜１２時間反応させることにより、前記式（４）で表される有機アミンが得られる。各縮合の際のｐＨ調整には通常、水酸化ナトリウムや水酸化カリウム等のアルカリ金属の水酸化物、或いは、炭酸ナトリウムや炭酸カリウム等のアルカリ金属の炭酸塩等が用いられる。なお、縮合の順序はシアヌルクロライドと縮合する各種化合物の反応性に応じ適宜決めるのが良く、上記の順序に限定されない。【００６９】
前記式（３）で表されるポルフィラジン化合物と、前記式（４）で表される有機アミンとの反応は、アンモニア存在下に、水溶媒中で、おおよそｐＨ８〜１０、５〜７０℃の反応条件下、１〜２０時間反応させる事により行われる。この反応により目的の式（１）で表される本発明の色素が得られる。
上記反応には、アンモニア及び、中和や分解によりアンモニアを発生する化合物（これら両者を併せて「アミノ化剤」と言う）を用いることができる。上記反応に用いるアミノ化剤としては、例えば、塩化アンモニウム、硫酸アンモニウム等のアンモニウム塩の様に中和によりアンモニアを発生する化合物；尿素等の熱分解によりアンモニアを発生する化合物；アンモニアガス等が挙げられるが、これらに限定されるものではない。上記反応に用いられるアミノ化剤としては、アンモニア水が好ましい。該反応に使用するときは、市販品として入手できる濃アンモニア水（通常は、およそ２８％のアンモニア水として市販されている）、又はこれを必要に応じて水により希釈した希釈液を、使用すれば良い。【００７０】
前記式（４）で表される有機アミンの使用量は通常、前記式（３）で表されるポルフィラジン化合物１モルに対して、通常、理論値［目的とする式（１）で表される色素におけるｃの値を得るのに必要な、計算上の式（４）で表される有機アミンのモル数］の１モル以上であるが、用いる有機アミンの反応性、反応条件により異なり、これらに限定されるものではない。前記式（４）で表される有機アミンの使用量は、通常、上記理論値の０．３〜３モル、好ましくは０．５〜２モル程度である。
前記式（３）で表される化合物、前記式（４）で表される有機アミン及びアミノ化剤との反応によって得られる生成物は、単一化合物ではなく、ｂ及びｃの値の異なる化合物の混合物である。しかし、各化合物のｂ及びｃの値の平均値が前記の範囲に含まれれば、本発明の目的を達成することができる。従って、これらの混合物を、平均値で表されたｂ及びｃの値を有する化合物として取り扱っても、支障は無い。【００７１】
また前記式（１）で表される本発明の色素は、前記式（３）と、前記式（４）で表される化合物とから、特に無水条件を必要としない反応条件で合成され、水溶媒を用いて合成するのが好ましい。このため式（３）におけるクロロスルホニル基が一部、反応系内に混在する水により加水分解を受けてスルホン酸へと変換された化合物が副生し、この結果、該副生物が、目的とする式（１）で表される色素に混入することが理論上考えられる。
しかしながら質量分析において無置換スルファモイル基とスルホ基とを識別することは困難であるため、本発明においては式（４）で表される有機アミンと反応したもの以外の式（３）におけるクロロスルホニル基については全て無置換スルファモイル基へと変換されたものとして記載する。【００７２】
さらに前記式（１）で表される色素の一部により、２価の連結基（Ｌ）を介して銅ポルフィラジン環（Ｐｚ）の２量体（例えばＰｚ−Ｌ−Ｐｚ）又は３量体を形成してなる不純物が副生され、該副生物が反応生成物中に混入することもある。【００７３】
上記Ｌで表される２価の連結基としては、−ＳＯ２−又は−ＳＯ２−ＮＨ−ＳＯ２−等が挙げられる。３量体の場合にはこれら２つのＬが組み合わされた副生成物が形成される場合も有る。【００７４】
こうして得られた本発明のポルフィラジン色素は酸析又は塩析後、濾過等により分離することが出来る。塩析は例えば酸性〜アルカリ性、好ましくはｐＨ１〜１１の範囲で塩析を行うことが好ましい。塩析の際の温度は特に限定されないが、通常４０〜８０℃、好ましくは５０〜７０℃である。具体的には、本発明のポルフィラジン色素を含む反応液を上記温度まで加熱した後、塩化ナトリウム等を加えて上記範囲にｐＨを調整して、塩析するのが好ましい。【００７５】
上記の方法で合成される、本発明の前記式（１）で表わされる色素は、遊離酸の形あるいはその塩の形で得られる。遊離酸とするには、例えば酸析すればよい。また、塩にするには、塩析すればよい。塩析によって所望の塩が得られないときには、例えば遊離酸にしたものに所望の有機又は無機の塩基を添加する方法等の、通常の塩交換法を利用すればよい。【００７６】
次に本発明のインク組成物について説明する。上記の方法にて製造された前記式（１）で表される本発明の色素は鮮明なシアン色を呈する。よって、これらを含むインク組成物も主にシアン色のインクとして用いることができる。該インクは高濃度のシアンインクとして用いるばかりでなく、画像の階調部分を滑らかに再現するため、又は淡色領域の粒状感を軽減するために用いられる、低い色素濃度のシアンインク（ライトシアンインクやフォトシアンインク等と呼ばれる）として用いても良い。また、イエロー色の色素と配合してグリーン色のインクとして使用しても良いし、マゼンタ色の色素と配合してバイオレット色やブルー色のインクとして使用しても良い。更に多色を配合してインクを作成し、ダークイエロー色、グレー色又はブラック色として使用することも可能である。【００７７】
本発明のインク組成物は、水を媒体として調製される。
このインク組成物をインクジェット用インクとして使用する場合、それに含有される本発明のポルフィラジン色素は、Ｃｌ−及びＳＯ４２−等の陰イオンの含有量は少ないものが好ましい。その陰イオンの含有量の目安は、該色素の総質量中において、Ｃｌ−及びＳＯ４２−の総含有量として５質量％以下、好ましくは３質量％以下、更に好ましくは１質量％以下であり、インク組成物中においてはインク組成物の総質量に対して１質量％以下である。下限は検出機器の検出限界以下、即ち０％で良い。
Ｃｌ−及びＳＯ４２−の少ない本発明のポルフィラジン色素を製造するには、例えば逆浸透膜による通常の方法、又は、本発明のポルフィラジン色素の乾燥品あるいはウェットケーキを、含水アルコール中で撹拌する方法等の方法で、脱塩処理すればよい。
後者の場合、用いるアルコールは、Ｃ１−Ｃ４アルコール、好ましくはＣ１−Ｃ３アルコール、更に好ましくはメタノール、エタノール、ｎ−プロパノール又は２−プロパノールである。脱塩を行いたい色素を含有する含水アルコールを、その沸点近くまで加熱後、冷却して脱塩する方法も採用しうる。
含水アルコール中で脱塩処理された本発明のポルフィラジン色素は、常法により、濾過分離及び乾燥することにより、乾燥状態の色素として得ることもできる。
該色素中のＣｌ−及びＳＯ４２−の含有量は、例えばイオンクロマトグラフィーで測定される。【００７８】
本発明のインク組成物をインクジェット記録用途に用いる場合、該インク組成物に含有される本発明のポルフィラジン色素は、上記のＣｌ−及びＳＯ４２−以外の、亜鉛、鉄等の重金属、カルシウム等の各イオン、及びシリカ等の、不純物の含有量も少ないことが好ましい。
ただし本発明のポルフィラジンはイオン結合や配位結合等により、中心金属を有し、銅錯体を形成しているため、この中心金属は不純物に含めない。
上記の不純物含有量の目安は例えば、該ポルフィラジン色素の乾燥精製品中に、亜鉛、鉄等の重金属、カルシウム等の各イオン、及びシリカ等について、各々５００ｐｐｍ以下程度が好ましく、下限は分析機器の検出限界以下、即ち０ｐｐｍで良い。
重金属等のイオン含有量は、イオンクロマトグラフィー、原子吸光法又はＩＣＰ（Ｉｎｄｕｃｔｉｖｅｌｙ  Ｃｏｕｐｌｅｄ  Ｐｌａｓｍａ）発光分析法にて測定することができる。【００７９】
本発明のインク組成物は、前記式（１）で表されるポルフィラジン色素を０．１〜８質量％、好ましくは０．３〜６質量％含有する。
このインク組成物はさらに必要に応じて、水溶性有機溶剤を、本発明の効果を害しない範囲内において含有してもよい。水溶性有機溶剤は、染料溶解、乾燥防止（湿潤）、粘度調整、浸透促進、表面張力調整、消泡等の機能を目的として使用される場合もある。本発明のインク組成物中に水溶性有機溶剤を含有する方が好ましい。
その他、インク調製剤として、例えば、防腐防黴剤、ｐＨ調整剤、キレート試薬、防錆剤、紫外線吸収剤、粘度調整剤、染料溶解剤、褪色防止剤、乳化安定剤、表面張力調整剤、消泡剤、分散剤、分散安定剤等を必要に応じて加えても良い。
本発明のインク組成物は、水溶性有機溶剤を０〜６０質量％、好ましくは１０〜５０質量％、インク調製剤を０〜２０質量％、好ましくは０〜１５質量％を、それぞれインク組成物の総質量に対して含有しているのが良い。水溶性有機溶剤、インク調製剤及び本発明のポルフィラジン色素以外の残部は水である。【００８０】
上記の水溶性有機溶剤としては、例えばメタノール、エタノール、ｎ−プロパノール、イソプロパノール、ｎ−ブタノール、イソブタノール、第二ブタノール又は第三ブタノール等のＣ１−Ｃ４アルコール；Ｎ，Ｎ−ジメチルホルムアミド又はＮ，Ｎ−ジメチルアセトアミド等のカルボン酸アミド；２−ピロリドン、Ｎ−メチル−２−ピロリドン、１，３−ジメチルイミダゾリジン−２−オン又は１，３−ジメチルヘキサヒドロピリミド−２−オン等の複素環式ケトン；アセトン、メチルエチルケトン又は２−メチル−２−ヒドロキシペンタン−４−オン等のケトン又はケトアルコール；テトラヒドロフラン又はジオキサン等の環状エーテル；エチレングリコール、１，２−若しくは１，３−プロピレングリコール、１，２−若しくは１，４−ブチレングリコール、１，６−ヘキシレングリコール、ジエチレングリコール、トリエチレングリコール、テトラエチレングリコール、ジプロピレングリコール、チオジグリコール、ポリエチレングリコール又はポリプロピレングリコール等のＣ２−Ｃ６アルキレン単位を有するモノ、オリゴ若しくはポリアルキレングリコール又はチオグリコール；グリセリン、ヘキサン−１，２，６−トリオール等のポリオール（好ましくはＣ３−Ｃ６トリオール）；エチレングリコールモノメチルエーテル、エチレングリコールモノエチルエーテル、ジエチレングリコールモノメチルエーテル、ジエチレングリコールモノエチルエーテル、ジエチレングリコールモノブチルエーテル（ブチルカルビトール）、トリエチレングリコールモノメチルエーテル又はトリエチレングリコールモノエチルエーテル等の多価アルコールのＣ１−Ｃ４モノアルキルエーテル；γーブチロラクトン又はジメチルスルホキシド等が挙げられる。【００８１】
上記の水溶性有機溶剤として好ましいものは、イソプロパノール、グリセリン、モノ、ジ又はトリエチレングリコール、ジプロピレングリコール、２−ピロリドン及びＮ−メチル−２−ピロリドンであり、より好ましくはイソプロパノール、グリセリン、ジエチレングリコール、２−ピロリドン又はブチルカルビトールである。
これらの水溶性有機溶剤は、単独もしくは混合して用いられる。【００８２】
防腐防黴剤としては、例えば、有機硫黄系、有機窒素硫黄系、有機ハロゲン系、ハロアリールスルホン系、ヨードプロパギル系、Ｎ−ハロアルキルチオ系、ベンゾチアゾール系、ニトリル系、ピリジン系、８−オキシキノリン系、イソチアゾリン系、ジチオール系、ピリジンオキシド系、ニトロプロパン系、有機スズ系、フェノール系、第４アンモニウム塩系、トリアジン系、チアジアジン系、アニリド系、アダマンタン系、ジチオカーバメイト系、ブロム化インダノン系、ベンジルブロムアセテート系、及び、無機塩系等の化合物が挙げられる。
有機ハロゲン系化合物としては、例えばペンタクロロフェノールナトリウムが挙げられる。ピリジンオキシド系化合物としては、例えば２−ピリジンチオール−１−オキサイドナトリウムが挙げられる。イソチアゾリン系化合物としては、例えば１，２−ベンズイソチアゾリン−３−オン、２−ｎ−オクチル−４−イソチアゾリン−３−オン、５−クロロ−２−メチル−４−イソチアゾリン−３−オン、５−クロロ−２−メチル−４−イソチアゾリン−３−オンマグネシウムクロライド、５−クロロ−２−メチル−４−イソチアゾリン−３−オンカルシウムクロライド及び２−メチル−４−イソチアゾリン−３−オンカルシウムクロライド等が挙げられる。
その他の防腐防黴剤の具体例としてソルビン酸ナトリウム、安息香酸ナトリウム、及び酢酸ナトリウム等が挙げられ、また市販品としては、例えば、アーチ・ケミカルズ・ジャパン株式会社製、商品名プロクセルＲＴＭＧＸＬ（Ｓ）、プロクセルＲＴＭＸＬ−２（Ｓ）等が挙げられる。
なお、本明細書において、上付きのＲＴＭは登録商標を表す。【００８３】
ｐＨ調整剤は、インクの保存安定性を向上させる目的で、インクのｐＨを６．０〜１１．０の範囲に制御できるものであれば任意の物質を使用することができる。例えば、ジエタノールアミン又はトリエタノールアミン等のアルカノールアミン；水酸化リチウム、水酸化ナトリウム又は水酸化カリウム等のアルカリ金属の水酸化物；水酸化アンモニウム（アンモニア水）；あるいは、炭酸リチウム、炭酸ナトリウム又は炭酸カリウム等のアルカリ金属の炭酸塩；等が挙げられる。【００８４】
キレート試薬としては、例えばエチレンジアミン四酢酸ナトリウム、ニトリロ三酢酸ナトリウム、ヒドロキシエチルエチレンジアミン三酢酸ナトリウム、ジエチレントリアミン五酢酸ナトリウム及びウラシル二酢酸ナトリウム等が挙げられる。防錆剤としては、例えば、酸性亜硫酸塩、チオ硫酸ナトリウム、チオグリコール酸アンモニウム、ジイソプロピルアンモニウムナイトライト、四硝酸ペンタエリスリトール及びジシクロヘキシルアンモニウムナイトライト等が挙げられる。【００８５】
紫外線吸収剤としては、例えばベンゾフェノン系化合物、ベンゾトリアゾール系化合物、桂皮酸系化合物、トリアジン系化合物及びスチルベン系化合物等が挙げられる。また、ベンズオキサゾール系化合物に代表される、紫外線を吸収して蛍光を発する化合物、いわゆる蛍光増白剤も用いることができる。【００８６】
粘度調整剤としては、水溶性有機溶剤の他に、水溶性高分子化合物が挙げられ、例えばポリビニルアルコール、セルロース誘導体、ポリアミン及びポリイミン等が挙げられる。【００８７】
染料溶解剤としては、例えば尿素、ε−カプロラクタム及びエチレンカーボネート等が挙げられる。【００８８】
褪色防止剤は、画像の保存性を向上させる目的で使用される。褪色防止剤としては、各種の有機系及び金属錯体系の褪色防止剤を使用することができる。有機の褪色防止剤としてはハイドロキノン類、アルコキシフェノール類、ジアルコキシフェノール類、フェノール類、アニリン類、アミン類、インダン類、クロマン類、アルコキシアニリン類及びヘテロ環類等が挙げられ、金属錯体としてはニッケル錯体、亜鉛錯体等が挙げられる。【００８９】
表面張力調整剤としては、界面活性剤があげられ、例えばアニオン界面活性剤、両性界面活性剤、カチオン界面活性剤及びノニオン界面活性剤等が挙げられる。
アニオン界面活性剤としてはアルキルスルホカルボン酸塩、α−オレフィンスルホン酸塩、ポリオキシエチレンアルキルエーテル酢酸塩、Ｎ−アシルアミノ酸及びその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリールスルホン酸塩、ジエチルスルホ琥珀酸塩、並びに、ジエチルヘキルシルスルホ琥珀酸塩、ジオクチルスルホ琥珀酸塩等が挙げられる。
カチオン界面活性剤としては２−ビニルピリジン誘導体及びポリ４−ビニルピリジン誘導体等が挙げられる。
両性界面活性剤としてはラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、及び、その他のイミダゾリン誘導体等が挙げられる。
ノニオン界面活性剤としては、ポリオキシエチレンノニルフェニルエーテル、ポリオキシエチレンオクチルフェニルエーテル、ポリオキシエチレンドデシルフェニルエーテル、ポリオキシエチレンオレイルエーテル、ポリオキシエチレンラウリルエーテル及びポリオキシエチレンアルキルエーテル等のエーテル系；ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート及びポリオキシエチレンステアレート等のエステル系；２，４，７，９−テトラメチル−５−デシン−４，７−ジオール、３，６−ジメチル−４−オクチン−３，６−ジオール及び３，５−ジメチル−１−ヘキシン−３−オール等のアセチレンアルコール系（例えば、日信化学工業株式会社製サーフィノールＲＴＭ１０４、８２、４６５、オルフィンＳＴＧ等）等が挙げられる。【００９０】
消泡剤としては、高酸化油系、グリセリン脂肪酸エステル系、フッ素系及びシリコーン系化合物が必要に応じて用いられる。【００９１】
これらのインク調製剤は、単独もしくは混合して用いられる。なお、本発明のインクの表面張力は通常２５〜７０ｍＮ／ｍ、より好ましくは２５〜６０ｍＮ／ｍである。また本発明のインクの粘度は３０ｍＰａ・ｓ以下が好ましい。更に２０ｍＰａ・ｓ以下に調整することがより好ましい。【００９２】
本発明のインク組成物を製造するにあたり、各薬剤を溶解させる順序には特に制限はない。インク組成物の調製に用いる水は、イオン交換水又は蒸留水等の、不純物が少ない水が好ましい。さらに、必要に応じメンブランフィルター等を用いて精密濾過を行って夾雑物を除いてもよく、インクジェットプリンタ用のインクとして使用する場合は精密濾過を行うことが好ましい。精密濾過を行うフィルターの孔径は通常１μｍ〜０．１μｍ、好ましくは、０．８μｍ〜０．１μｍである。【００９３】
本発明のインク組成物は、単色の画像形成のみならず、フルカラーの画像形成に用いることができる。フルカラー画像を形成するために、マゼンタインク、イエローインクとの３原色のインクセット、更にはこれにブラックインクを加えた４色のインクセットとしても使用される。更にはより高精細な画像を形成する為に、ライトマゼンタインク、ブルーインク、グリーンインク、オレンジインク、ダークイエローインク及び／又はグレーインク等と併用したインクセットとしても使用される。本発明のインク組成物と併用する各色のインクセットに用いる色素としては、公知の色素が挙げられる。【００９４】
上記のイエローインク用の公知色素としては、例えばアリール及び／又はヘテロアリールを有するアゾ系色素；ベンジリデン色素やモノメチンオキソノール色素等のようなメチン系色素；ナフトキノン色素及びアントラキノン色素等のようなキノン系色素等がある。これ以外のものとしてはキノフタロン系色素；ニトロ・ニトロソ系色素；アクリジン系色素；アクリジノン系色素；等を挙げることができる。【００９５】
上記のマゼンタインク用の公知色素としては、例えばアリール及び／又はヘテロアリールを有するアゾ系色素；アゾメチン系色素；アリーリデン色素、スチリル色素、メロシアニン色素、シアニン色素及びオキソノール色素等のようなメチン系色素；ジフェニルメタン色素、トリフェニルメタン色素及びキサンテン色素等のようなカルボニウム系色素；ナフトキノン、アントラキノン及びアントラピリドン等のようなキノン系色素；ジオキサジン色素等のような縮合多環系色素；等を挙げることができる。【００９６】
上記のブラックインク用の公知色素としては、ジスアゾ、トリスアゾ又はテトラアゾ等のアゾ系色素；硫化染料；カーボンブラックの分散体；等を挙げることができる。【００９７】
本発明のインク組成物は、印捺、複写、マーキング、筆記、製図及びスタンピング等の記録方法に使用でき、特にインクジェット記録方法における使用に適する。【００９８】
本発明のインクジェット記録方法とは、本発明のインク組成物をインクとして使用し、該インクに記録信号に応じてエネルギーを供与し、該インクのインク滴を吐出させて、公知の被記録材、即ち普通紙、樹脂コート紙、インクジェット専用紙、光沢紙、光沢フィルム、電子写真共用紙、繊維や布（セルロース、ナイロン、羊毛等）、ガラス、金属、陶磁器又は皮革等に記録を行い、画像を形成する方法である。【００９９】
画像を形成する際に、光沢性や耐水性を与えたり、耐候性を改善する目的からポリマー微粒子分散物（ポリマーラテックスともいう）を使用してもよい。
ポリマーラテックスを被記録材に付与する時期については、着色剤を付与する前であっても、後であっても、また同時であってもよい。
したがってポリマーラテックスを含有する被記録材に本発明のインク組成物で記録してもよいし、該インク組成物中にポリマーラテックスを含有してもよい。又は該インク組成物によって被記録材へ記録を行う前又は後に、ポリマーラテックスを単独の液状物として被記録材に適用しても良い。【０１００】
本発明の着色体は、本発明のポルフィラジン色素又はこれを含有する水性インク組成物により着色された物質を意味する。着色される物質としては、特に制限されないが、例えば紙、フィルム等の情報伝達用シート、繊維や布（セルロース、ナイロン、羊毛等）、皮革及びカラーフィルター用基材等が挙げられる。着色される物質としては、情報伝達用シートが好ましい。
上記被記録材又は上記着色される物質における情報伝達用シートとしては、表面処理されたもの、具体的には紙、合成紙又はフィルム等の基材にインク受容層を設けたものが好ましい。インク受容層は、例えば上記基材にカチオン系ポリマーを含浸あるいは塗工すること；多孔質シリカ、アルミナゾルや特殊セラミックス等のインク中の色素を吸収し得る無機微粒子（白色無機顔料粒子）をポリビニルアルコールやポリビニルピロリドン等の親水性ポリマーと共に上記基材表面に塗工すること；等により設けられる。
このようなインク受容層を設けた情報伝達用シートは通常インクジェット専用紙（フィルム）、光沢紙（フィルム）等と呼ばれる。この中でも、オゾンガス等の空気中の酸化作用を持つガスに対して影響を受けやすいとされているのが、多孔質シリカ、アルミナゾルや特殊セラミックス等のインク中の色素を吸収し得る無機微粒子を基材表面に塗工しているタイプのインクジェット専用紙である。
市販品として入手できる上記インクジェット専用紙の代表的な例としては、いずれも商品名で、キヤノン株式会社製  プロフェッショナルフォトペーパー、光沢ゴールド、光沢プロフェッショナル；セイコーエプソン株式会社製  写真用紙クリスピア（高光沢）、写真用紙（光沢）、フォトマット紙；日本ヒューレット・パッカード株式会社製  アドバンスフォト用紙（光沢）；ブラザー工業株式会社製  プレミアムプラスグロッシィフォトペーパー；等が挙げられる。なお、普通紙も当然利用できる。具体的には、いずれも商品名で、キヤノン株式会社製  ＰＢペーパーＧＦ５００；セイコーエプソン株式会社製  両面上質普通紙；等が挙げられるが、これらに限られるものではない。【０１０１】
上記本発明の着色体を得るための着色方法は、公知のいずれの方法を用いてもよい。好ましい着色方法の一つは、インクジェットプリンタを用い、本発明のインクで上記の物質を着色する方法である。被着色材は上記の物質であっても、その他のものであってもよい。【０１０２】
本発明のインクジェット記録方法で、上記の被記録材に記録を行うには、例えば上記のインク組成物を含有する容器をインクジェットプリンタの所定位置にセットし、通常の方法で記録すればよい。
インクジェットプリンタとしては、例えば機械的振動を利用したピエゾ方式のプリンタ；加熱により生ずる泡を利用したバブルジェットＲＴＭ方式のプリンタ等が挙げられる。【０１０３】
本発明のインク組成物は貯蔵中に沈澱、分離することがない。また、該インク組成物をインクジェット記録に使用した場合、噴射器（インクヘッド）を閉塞することもない。本発明のインク組成物は、連続式インクジェットプリンタによる比較的長い時間かつ一定の再循環下での記録；又はオンデマンド式インクジェットプリンタによる断続的な記録；等においても、物理的性質の変化を起こさない。【０１０４】
本発明のインク組成物は鮮明なシアン色であり、これをインクとして使用することにより耐光性、耐水性等の各種の堅牢性、特に耐オゾン性に優れた記録物を得ることができる。また本発明のインク組成物は、シアンの標準色により近い色相を有するため、色相と耐オゾン性のバランスに優れる。更に、高い印字濃度を有するためインク中の色素濃度を低下することが出来、コスト減少に伴う産業上の優位性を有している。
また、他のマゼンタインク及びイエローインクと共に用いることで、広い可視領域の色調を表現することができる。
また、濃淡それぞれのシアンインクを使用し、これに加えて耐オゾン性及び耐光性、耐水性に優れた他のイエロー及び／又はマゼンタ、その他必要に応じて、グリーン、レッド、オレンジ及び／又はブルー等のインクと併用することにより、さらに広い可視領域の色調を表現することもできる。
【実施例】
【０１０５】
以下に本発明を実施例により更に具体的に説明する。尚、本文中「部」及び「％」とあるのは、特別の記載のない限り質量基準である。また、反応、晶析等の各操作は、特に断りの無い限り、いずれも攪拌下に行った。また、合成反応に使用した、「商品名  レオコールＴＤ−９０」は、ライオン株式会社製の界面活性剤である。
また、実施例中の化合物における最大吸収波長（λｍａｘ）の測定は、いずれも水溶液を用いて行った。【０１０６】
なお実施例にて合成した前記式（１）で表される色素は、全て上記のように異性体等を含む混合物である。従って構造式は異性体を含む形で表示して、ピリジン環の数、ベンゼン環数、ｂ及びｃ、及びｂとｃの和等は前記したように全て平均値で表示した。従って、収量については該化学式に含まれる該異性体等を含む値である。また、実施例における本発明の色素は非置換スルファモイル基及び置換スルファモイル基が、それぞれ（ｂ）及び（ｃ）の比率で、それぞれ独立に、ポルフィラジン環のα位及びβ位に置換したものの混合物であり、おおよそα位置換体及びβ位置換体の等量混合物と考えられる。【０１０７】
なお「（対液２０％）」等と記載した場合は、その時点における総液量（質量基準）に対して、加えた化合物の質量％を表す。
実施例で得られた色素において、環Ａ乃至Ｄにおける６員環の含窒素複素芳香環がピリジン環である場合には、ポルフィラジン環に縮環する該ピリジン環の縮環位置は、２位及び３位又は５位及び６位である。さらに、環Ａ乃至Ｄにおける、ベンゼン環及び６員環の含窒素複素芳香環の数、ｂ及びｃの値は、小数点以下３桁目を四捨五入し、小数点以下２桁として記載した。このｂ及びｃの値は、目的化合物を試料としたＩＣＰ発光分析法による銅含有量の測定、カールフィッシャー法による含水量の測定、及びイオンクロマト法による無機不純物（ナトリウム、カリウム、塩素原子等のイオン）の含有量の測定により求めることができる。
なお、合成した本発明のポルフィラジン色素は、いずれも水溶液の総質量に対して１５質量％以上と極めて高い溶解度を示した。【０１０８】
実施例１
（１）下記式（６）における環Ａ乃至Ｄのうち０．２５がピリジン環で残り３．７５がベンゼン環である、下記式（６）で表される化合物の合成。【０１０９】
0005458022.tif 000011
【０１１０】
四つ口フラスコに、スルホラン３７５部、無水フタル酸４１．６部、キノリン酸３．１３部、尿素１０８部、塩化銅（ＩＩ）１０．１部、及び、モリブデン酸アンモニウム１．５部を加え、２００℃へ液温を上げ、同温度で５時間保持した。反応終了後６５℃まで冷却し、ＤＭＦ５０部を反応液に加えて、析出した固体を濾過分離した。得られた固体をＤＭＦ５０部で洗浄し、ウェットケーキ７５．２部を得た。得られたウェットケーキ全量をＤＭＦ４５０部に加え、１１０℃に液温を上げ、同温度で一時間保持した。固体を濾過分離し、水２００部で洗浄することにより得られたウェットケーキを５％塩酸４５０部中に加え、６０℃に液温を上げ、同温度で１時間保持した。固体を濾過分離し、水２００部で洗浄して得られたウェットケーキ全量を５％アンモニア水４５０部中に加え、６０℃で１時間保持した。固体を濾過分離し、水２００部で洗浄し、ウェットケーキ８２．６部を得た。得られたウェットケーキを８０℃で乾燥し、目的とする化合物２６．３部を青色固体として得た。
元素分析  Ｃ１２７Ｈ６３Ｎ３３Ｃｕ４
Ｃ            Ｈ            Ｎ            Ｃｕ
理論値：    ６６．１７      ２．７６    ２０．０５    １１．０３
実測値：    ６５．７９      ２．９５    １９．８１    １０．９４【０１１１】
（２）下記式（３）における環Ａ乃至Ｄのうち０．２５がピリジン環で残り３．７５がベンゼン環であり、ｎが３．７５である、下記式（３）で表される化合物の合成。【０１１２】
0005458022.tif 000012
【０１１３】
クロロスルホン酸４６．２部中に、攪拌しながら６０℃以下で実施例１（１）で得られた化合物５．８部を徐々に加え、１４０℃で４時間反応を行った。次に反応液を７０℃まで冷却し、塩化チオニル７．１４部を３０分間かけて滴下し、７０℃で３時間反応を行った。反応液を３０℃以下に冷却し、氷水８００部中にゆっくりと注いだ。析出した固体を濾過分離し、冷水２００部で洗浄することにより、目的とする化合物のウェットケーキ４２．０部を得た。【０１１４】
（３）下記式（１５）で表される化合物［前記式（４）におけるＸが４−スルホアニリノ、Ｙが３−スルホアニリノ、Ｅがエチレンである化合物］の合成。【０１１５】
0005458022.tif 000013
【０１１６】
氷水３３０部中に塩化シアヌール１８．４部、商品名レオコールＴＤ−９０（０．２部）を加え、１０℃以下で３０分間攪拌した。次にそこに、４−スルホアニリン（純度９９．３％）１７．４部を加え、ｐＨ２．６〜３．０、０〜５℃で１時間、ｐＨ３．０〜３．５、０〜５℃で１時間、同ｐＨ、２５〜３０℃で１時間反応を行った。この反応の間、反応液のｐＨを、１０％水酸化ナトリウム水溶液を用いて調整した。
得られた反応液に３−スルホアニリン（純度９９．３％）１７．４部を加え、１０％水酸化ナトリウム水溶液を用いてｐＨ５．０〜６．０としながら、４０℃で３時間反応を行った。
反応液に氷２５０部を加え、０℃へ冷却し、エチレンジアミン６０部を、５℃以下を保持しながら滴下した。その後、反応液を室温で一晩攪拌した後、濃塩酸を用いてｐＨ１．０に調節した。濃塩酸を加える間、反応液に氷を加えながら、液温を１０〜１５℃に保持した。このときの反応液の液量は１０００部であった。この反応液に塩化ナトリウム２００部を加え、３０分撹拌し固体を析出させた。
析出した固体を濾過分離しウェットケーキ８５．６部を得た。得られたウェットケーキをビーカーに入れ、水２８０部をそこに加え、１０％水酸化ナトリウム水溶液を用いてｐＨ９．０として溶解させた。このとき液量は４５０部であった。この反応液に濃塩酸を加えてｐＨ１．０に調整した後、塩化ナトリウム９０部を加え、３０分撹拌して、固体を析出させた。析出固体を濾過分離しウェットケーキ１１５．１部を得た。得られたウェットケーキをビーカーに入れ、メタノール５００部、水１００部をそこに加え、５０℃で１時間攪拌した。その後、固体を濾過分離しウェットケーキ８４．１部を得た。得られたウェットケーキを乾燥させ、目的化合物の白色粉末４４．３部を得た。【０１１７】
（４）下記式（１６）で表される本発明の色素［前記式（１）における環Ａ乃至Ｄのうち０．２５がピリジン環で残り３．７５がベンゼン環であり、Ｅがエチレン、Ｘが４−スルホアニリノ、Ｙが３−スルホアニリノ、ｂが２．９１、及びｃが０．８４である色素］の合成。【０１１８】
0005458022.tif 000014
【０１１９】
氷水５０部中に実施例１（２）で得られた化合物のウェットケーキ４２．０部を加え、５℃以下で懸濁した。１０分後、液温を１０℃以下に保持しながら、２８％アンモニア水２部、及び、水３０部中に式（１５）で表される化合物３．４部を溶解させた水溶液を懸濁液に加えた。さらにそこに２８％アンモニア水を加えながら、該液のｐＨ９．０を保持し、１時間かけて２０℃まで液温を上げ、同温度で８時間反応した。この時の液量は２５０部であった。反応液の温度を５０℃に上げ、塩化ナトリウム５０部（対液２０％）を加え３０分撹拌した後、２０分かけて濃塩酸でｐＨ３．０に調整した。その後、析出固体を濾過分離、２０％塩化ナトリウム水溶液１００部で洗浄し、ウェットケーキ５１．０部を得た。得られたウェットケーキを水２００部に加え、２５％水酸化ナトリウム水溶液を用いて、ｐＨ９．０に調整し、ウェットケーキを溶解した。このときの液量は２６０部であった。この溶液の温度を５０℃に上げ、塩化ナトリウム２６部（対液１０％）を加え３０分撹拌した後、この溶液を２０分かけて濃塩酸でｐＨ２．０に調整した。その後、析出固体を濾過分離、１０％塩化ナトリウム水溶液１００部で洗浄し、ウェットケーキ４９．９部を得た。得られたウェットケーキをメタノール２５５部及び水４５部の混合液に加えて、５０℃で１時間攪拌した後、固体を濾過分離しウェットケーキ３８．５部を得た。得られたウェットケーキを乾燥することにより、目的とする本発明の色素１１．４部を青色粉末として得た。
λｍａｘ：６１１．０ｎｍ。【０１２０】
実施例２
（１）前記式（６）における環Ａ乃至Ｄのうち０．７５がピリジン環で残り３．２５がベンゼン環である、前記式（６）で表される化合物の合成。【０１２１】
四つ口フラスコに、スルホラン３７５部、無水フタル酸３０．８部、キノリン酸９．４０部、尿素１０８部、塩化銅（ＩＩ）１０．１部、及び、モリブデン酸アンモニウム１．５部を加え、２００℃まで液温を上げ、同温度で５時間保持した。反応終了後、溶液を６５℃まで冷却し、そこにＤＭＦ５０部を加え、析出固体を濾過分離した。得られた固体をＤＭＦ５０部で洗浄し、ウェットケーキ８４．２部を得た。得られたウェットケーキ全量をＤＭＦ４５０部に加え、１１０℃に液温を上げ、同温度で一時間保持した。固体を濾過分離し、水２００部で洗浄した。次いで、得られたウェットケーキを５％塩酸４５０部中に加え、６０℃に液温を上げ、同温度で１時間保持した。固体を濾過分離し、水２００部で洗浄して得られたウェットケーキ全量を、５％アンモニア水４５０部中に加えた。液温を６０℃で１時間保持し、固体を濾過分離、水２００部で洗浄し、ウェットケーキ７９．３部を得た。得られたウェットケーキを８０℃で乾燥し、目的とする化合物３０．３部を青色固体として得た。
元素分析  Ｃ１２５Ｈ６１Ｎ３５Ｃｕ４
Ｃ            Ｈ            Ｎ            Ｃｕ
理論値：    ６５．０７      ２．６７    ２１．２５    １１．０２
実測値：    ６４．３９      ２．７５    ２０．９１    １０．８９【０１２２】
（２）前記式（３）における環Ａ乃至Ｄのうち０．７５がピリジン環で残り３．２５がベンゼン環であり、ｎが３．２５である、前記式（３）で表される化合物の合成。【０１２３】
クロロスルホン酸４６．２部中に、６０℃以下で、実施例２（１）で得られた化合物５．８部を徐々に加えた後、１４０℃で４時間反応を行った。次に反応液を７０℃まで冷却し、そこに塩化チオニル７．１４部を３０分間かけて滴下し、７０℃で３時間反応を行った。反応液を３０℃以下に冷却し、氷水８００部中にゆっくりと注いだ。析出固体を濾過分離し、冷水２００部で洗浄して、目的とする化合物のウェットケーキ４２．３部を得た。【０１２４】
（３）前記式（１６）で表される本発明の色素［前記式（１）における環Ａ乃至Ｄのうち０．７５がピリジン環で残り３．２５がベンゼン環であり、Ｅがエチレン、Ｘが４−スルホアニリノ、Ｙが３−スルホアニリノ、ｂが２．４２、及びｃが０．８３である色素］の合成。【０１２５】
氷水５０部中に実施例２（２）で得られた化合物のウェットケーキ４２．３部を加え、５℃以下で懸濁した。１０分後、懸濁液を１０℃以下に保持しながら、２８％アンモニア水２部、及び、水３０部中に式（１５）で表される化合物３．３７部を溶解させた水溶液を懸濁液に加えた。さらにそこに２８％アンモニア水を加えながら、該液のｐＨ９．０を保持し、１時間かけて２０℃まで液温を上げ、同温度で８時間保持した。この時の液量は２３０部であった。反応液の温度を５０℃に上げ、そこに塩化ナトリウム４６部（対液２０％）を加えた。反応液を３０分間撹拌した後、２０分かけて濃塩酸でｐＨ３．０に調整した。次いで、析出固体を濾過分離、２０％塩化ナトリウム水溶液１００部で洗浄し、ウェットケーキ５１．９部を得た。得られたウェットケーキを水２００部に加え、２５％水酸化ナトリウム水溶液を用いて、ｐＨ９．０に調整し、ウェットケーキを溶解した。このときの液量は２６０部であった。溶液の温度を５０℃に上げ、そこに塩化ナトリウム２６部（対液１０％）を加えた。溶液を３０分撹拌した後、２０分かけて濃塩酸でｐＨ２．０に調整した。次いで、析出固体を濾過分離、１０％塩化ナトリウム水溶液１００部で洗浄し、ウェットケーキ４８．９部を得た。得られたウェットケーキをメタノール２５５部及び水４５部の混合液に加えて、５０℃で１時間攪拌した後、固体を濾過分離してウェットケーキ３３．５部を得た。得られたウェットケーキを乾燥することにより、目的とする本発明の色素の１０．１部を青色粉末として得た。
λｍａｘ：６０９．５ｎｍ。【０１２６】
実施例３
（１）前記式（６）における環Ａ乃至Ｄのうち０．８５がピリジン環で残り３．１５がベンゼン環である、前記式（６）で表される化合物の合成。【０１２７】
四つ口フラスコに、スルホラン３７５部、無水フタル酸３４．９６部、キノリン酸１０．６５部、尿素１０８部、塩化銅（ＩＩ）１０．１部、及び、モリブデン酸アンモニウム１．５部を加え、２００℃まで液温を上げ、同温度で５時間保持した。反応終了後６５℃まで冷却し、ＤＭＦ５０部を加え、析出固体を濾過分離した。得られた固体をＤＭＦ５０部で洗浄し、ウェットケーキ７９．２部を得た。得られたウェットケーキ全量をＤＭＦ４５０部に加え、１１０℃に液温を上げ、同温度で一時間保持した。析出固体を濾過分離し、水２００部で洗浄した。次いで、得られたウェットケーキを５％塩酸４５０部中に加え、６０℃に液温を上げ、同温度で１時間保持した。固体を濾過分離し水２００部で洗浄した。得られたウェットケーキ全量を５％アンモニア水４５０部中に加え、６０℃で１時間保持した。固体を濾過分離し、水２００部で洗浄し、ウェットケーキ８２．６部を得た。得られたウェットケーキを８０℃で乾燥し、目的とする化合物２９．３部を青色固体として得た。
元素分析  Ｃ６２３Ｈ３０３Ｎ１７７Ｃｕ２０
Ｃ          Ｈ            Ｎ            Ｃｕ
理論値：    ６４．８５    ２．６５    ２１．４９    １１．０１
実測値：    ６４．３９    ２．９５    ２０．６７    １０．４９【０１２８】
（２）前記式（３）における環Ａ乃至Ｄのうち０．８５がピリジン環で残り３．１５がベンゼン環であり、ｎが３．１５である、前記式（３）で表される化合物の合成。【０１２９】
クロロスルホン酸４６．２部中に、６０℃以下で、実施例２（１）で得られた化合物５．８部を徐々に加えた後、１４０℃で４時間反応を行った。次に反応液を７０℃まで冷却し、そこに塩化チオニル７．１４部を３０分間かけて滴下し、７０℃で３時間反応を行った。反応液を３０℃以下に冷却し、氷水８００部中にゆっくりと注いだ。析出固体を濾過分離し、冷水２００部で洗浄し目的とする化合物のウェットケーキ４０．０部を得た。【０１３０】
（３）前記式（１６）で表される本発明の色素［前記式（１）における環Ａ乃至Ｄのうち０．８５がピリジン環で残り３．１５がベンゼン環であり、Ｅがエチレン、Ｘが４−スルホアニリノ、Ｙが３−スルホアニリノ、ｂが２．３１、及びｃが０．８４である色素］の合成。【０１３１】
氷水５０部中に実施例２（２）で得られた化合物のウェットケーキ４０．０部を加え、５℃以下で懸濁した。１０分後、液温を１０℃以下に保持しながら、２８％アンモニア水２部、及び、水３０部中に式（１５）で表される化合物３．８５部を溶解させた水溶液を懸濁液に加えた。さらにそこに２８％アンモニア水を加えながら、該液のｐＨ９．０を保持し、１時間かけて２０℃まで液温を上げ、同温度で８時間保持した。この時の液量は２４０部であった。反応液の温度を５０℃に上げ、そこに塩化ナトリウム４８部（対液２０％）を加え、反応液を３０分撹拌した。次いで、２０分かけて濃塩酸でｐＨ３．０に調整した後、析出固体を濾過分離、２０％塩化ナトリウム水溶液１００部で洗浄し、ウェットケーキ５１．０部を得た。得られたウェットケーキを水２００部に加え、２５％水酸化ナトリウム水溶液を用いて、ｐＨ９．０に調整し、ウェットケーキを溶解した。このときの液量は２６０部であった。溶液の温度を５０℃に上げ、そこに塩化ナトリウム２６部（対液１０％）を加え、反応液を３０分撹拌した。次いで、２０分かけて濃塩酸でｐＨ２．０に調整した後、析出固体を濾過分離、１０％塩化ナトリウム水溶液１００部で洗浄し、ウェットケーキ４８．２部を得た。得られたウェットケーキをメタノール２５５部及び水４５部の混合液に加えて、５０℃で１時間攪拌した後、固体を濾過分離してウェットケーキ３３．５部を得た。得られたウェットケーキを乾燥することにより、目的とする本発明の色素１１．２部を青色粉末として得た。
λｍａｘ：６０８．５ｎｍ。【０１３２】
実施例４
（１）前記式（６）における環Ａ乃至Ｄのうち０．６５がピリジン環で残り３．３５がベンゼン環である、前記式（６）で表される化合物の合成。【０１３３】
四つ口フラスコに、スルホラン３７５部、無水フタル酸３７．２１部、キノリン酸９．４１部、尿素１０８部、塩化銅（ＩＩ）１０．１部、及び、モリブデン酸アンモニウム１．５部を加え、２００℃まで液温を上げ、同温度で５時間保持した。反応終了後、反応液を６５℃まで冷却し、そこにＤＭＦ５０部を加え、析出固体を濾過分離した。得られた固体をＤＭＦ５０部で洗浄し、ウェットケーキ８２．６部を得た。得られたウェットケーキ全量をＤＭＦ４５０部に加え、１１０℃に液温を上げ、同温度で一時間保持した。固体を濾過分離し、水２００部で洗浄した。次いで、得られたウェットケーキを５％塩酸４５０部中に加え、６０℃に液温を上げ、同温度で１時間保持した。固体を濾過分離し水２００部で洗浄した。得られたウェットケーキ全量を５％アンモニア水４５０部中に加え、６０℃で１時間保持した。固体を濾過分離し、水２００部で洗浄し、ウェットケーキ８２．６部を得た。得られたウェットケーキを８０℃で乾燥し、目的とする化合物２８．６部を青色固体として得た。【０１３４】
（２）前記式（３）における環Ａ乃至Ｄのうち０．６５がピリジン環で残り３．３５がベンゼン環であり、ｎが３．３５である、前記式（３）で表される化合物の合成。【０１３５】
クロロスルホン酸４６．２部中に６０℃以下で実施例２（１）で得られた化合物５．８部を徐々に加え、１４０℃で４時間反応を行った。次に反応液を７０℃まで冷却し、そこに塩化チオニル７．１４部を３０分間かけて滴下し、７０℃で３時間反応を行った。反応液を３０℃以下に冷却し、氷水８００部中にゆっくりと注いだ。析出固体を濾過分離し、冷水２００部で洗浄して、目的とする化合物のウェットケーキ４３．２部を得た。【０１３６】
（３）前記式（１６）で表される本発明の色素［前記式（１）における環Ａ乃至Ｄのうち０．６５がピリジン環で残り３．３５がベンゼン環であり、Ｅがエチレン、Ｘが４−スルホアニリノ、Ｙが３−スルホアニリノ、ｂが２．４９、及びｃが０．８６である色素］の合成。【０１３７】
氷水５０部中に実施例２（２）で得られた化合物のウェットケーキ４０．０部を加え、５℃以下で懸濁した。１０分後、液温を１０℃以下に保持しながら、２８％アンモニア水２部、及び、水３０部中に式（１５）で表される化合物４．８１部を溶解させた水溶液を加えた。さらにそこに２８％アンモニア水を加えながら、該液のｐＨ９．０を保持し、１時間かけて２０℃まで液温を上げ、同温度で８時間保持した。この時の液量は２５０部であった。反応液の温度を５０℃に上げ、そこに塩化ナトリウム５０部（対液２０％）を加え、反応液を３０分撹拌した。次いで、２０分かけて濃塩酸でｐＨ３．０に調整した後、析出固体を濾過分離し、２０％塩化ナトリウム水溶液１００部で洗浄し、ウェットケーキ４９．２部を得た。得られたウェットケーキを水２００部に加え、２５％水酸化ナトリウム水溶液を用いて、ｐＨ９．０に調整し、ウェットケーキを溶解した。このときの液量は２６０部であった。溶液の温度を５０℃に上げ、そこに塩化ナトリウム２６部（対液１０％）を加え、溶液を３０分撹拌した。次いで、２０分かけて濃塩酸でｐＨ２．０に調整した後、析出固体を濾過分離し、１０％塩化ナトリウム水溶液１００部で洗浄し、ウェットケーキ４６．９部を得た。得られたウェットケーキをメタノール２５５部及び水４５部の混合液に加えて、５０℃で１時間攪拌した後、析出固体を濾過分離してウェットケーキ３３．５部を得た。得られたウェットケーキを乾燥することにより、目的とする本発明の色素１０．９部を青色粉末として得た。
λｍａｘ：６１２．０ｎｍ。【０１３８】
比較例１
（１）前記式（６）における環Ａ乃至Ｄのうち１．００がピリジン環で残り３．００がベンゼン環である、前記式（６）で表される化合物の合成。【０１３９】
四つ口フラスコに、スルホラン３７５部、無水フタル酸３３．２９部、キノリン酸１２．５３部、尿素１０８部、塩化銅（ＩＩ）１０．１部、及び、モリブデン酸アンモニウム１．５部を加え、２００℃へ液温を上げ、同温度で５時間保持した。反応終了後６５℃まで冷却し、そこにＤＭＦ５０部を加え、析出固体を濾過分離した。得られた固体をＤＭＦ５０部で洗浄し、ウェットケーキ７３．１部を得た。得られたウェットケーキ全量をＤＭＦ４５０部に加え、１１０℃に液温を上げ、同温度で一時間保持した。固体を濾過分離し、水２００部で洗浄した。得られたウェットケーキを５％塩酸４５０部中に加え、６０℃に液温を上げ、同温度で１時間保持した。固体を濾過分離し、水２００部で洗浄した。得られたウェットケーキ全量を５％アンモニア水４５０部中に加え、６０℃で１時間保持した。固体を濾過分離、水２００部で洗浄し、ウェットケーキ７８．１部を得た。得られたウェットケーキを８０℃で乾燥し、目的とする化合物２４．１部を青色固体として得た。【０１４０】
（２）前記式（３）における環Ａ乃至Ｄのうち１．００がピリジン環で残り３．００がベンゼン環であり、ｎが３である、前記式（３）で表される化合物の合成。【０１４１】
クロロスルホン酸４６．２部中に、攪拌しながら６０℃以下で、比較例１（１）で得られた化合物５．８部を徐々に加えた後、１４０℃で４時間反応を行った。得られた反応液を７０℃まで冷却し、そこに塩化チオニル７．１４部を３０分間かけて滴下し、７０℃で３時間反応を行った。反応液を３０℃以下に冷却し、氷水８００部中に反応液をゆっくりと注いだ。析出固体を濾過分離し、冷水２００部で洗浄して、目的とする化合物のウェットケーキ４２．４部を得た。【０１４２】
（３）前記式（１６）で表される比較用色素［前記式（１）における環Ａ乃至Ｄのうち１．００がピリジン環で残り３．００がベンゼン環であり、Ｅがエチレン、Ｘが４−スルホアニリノ、Ｙが３−スルホアニリノ、ｂが２．２８、ｃが０．７２である色素］の合成。【０１４３】
氷水５０部中に比較例１（２）で得られたウェットケーキ４２．４部を加え、５℃以下で懸濁した。１０分後、液温を１０℃以下に保持しながら、２８％アンモニア水２部、及び、水３０部中に式（１５）で表される化合物３．８５部を溶解させた水溶液を懸濁液に加えた。さらにそこに２８％アンモニア水を加えながら、該液のｐＨ９．０を保持し、１時間かけて２０℃へ液温を上げ、同温度で８時間保持した。この時の液量は２２５部であった。反応液の温度を５０℃に上げ、そこに塩化ナトリウム４５部（対液２０％）を加え、反応液を３０分撹拌した後、２０分かけて濃塩酸でｐＨ３．０に調整した。析出固体を濾過分離し、２０％塩化ナトリウム水溶液１００部で洗浄し、ウェットケーキ４５．０部を得た。得られたウェットケーキを水２００部に加え、２５％水酸化ナトリウム水溶液を用いてｐＨ９．０に調整し、ウェットケーキを溶解した。このときの液量は２６０部であった。得られた溶液の温度を５０℃に上げ、そこに塩化ナトリウム２６部（対液１０％）を加え３０分撹拌した後、２０分かけて濃塩酸でｐＨ２．０に調整した。析出固体を濾過分離し、２０％塩化ナトリウム水溶液１００部で洗浄し、ウェットケーキ４４．２部を得た。得られたウェットケーキをメタノール２５５部及び水４５部の混合液に加えて５０℃で１時間攪拌した後、固体を濾過分離しウェットケーキ３１．９部を得た。得られたウェットケーキを乾燥し、目的とする比較用の色素８．１部を青色粉末として得た。
λｍａｘ：６０３．０ｎｍ。【０１４４】
比較例２
（１）銅テトラベンゾポルフィラジンテトラスルホニルクロリド［前記式（３）における環Ａ乃至Ｄの全てがベンゼン環であり、ｎが４である化合物］の合成。【０１４５】
クロロスルホン酸４６．２部中に、攪拌しながら６０℃以下で、銅テトラベンゾポルフィラジン５．８部を徐々に加えた後、１４０℃で４時間反応を行った。次に反応液を７０℃まで冷却し、そこに塩化チオニル７．１４部を３０分間かけて滴下し、７０℃で３時間反応を行った。反応液を３０℃以下に冷却し、氷水８００部中に反応液をゆっくりと注いだ。析出固体を濾過分離し、冷水２００部で洗浄し、目的化合物のウェットケーキ４０．４部を得た。【０１４６】
（２）前記式（１６）で表される比較用色素［前記式（１）における環Ａ乃至Ｄの全てがベンゼン環であり、Ｅがエチレン、Ｘが４−スルホアニリノ、Ｙが３−スルホアニリノ、ｂが３．２３、及びｃが０．７７である色素］の合成。【０１４７】
氷水５０部中に比較例２（１）で得られた化合物のウェットケーキ４０．４部を加え、５℃以下で懸濁した。１０分後、液温を１０℃以下に保持しながら、２８％アンモニア水２部、及び、水３０部中に式（１５）で表される化合物３．３７部を溶解させた水溶液を懸濁液に加えた。さらにそこに２８％アンモニア水を加えながら、該液のｐＨ９．０を保持し、１時間かけて２０℃まで液温を上げ、同温度で８時間保持した。この時の液量は２２５部であった。反応液の温度を５０℃に上げ、塩化ナトリウム４５部（対液２０％）を加え反応液を３０分撹拌した後、２０分かけて濃塩酸でｐＨ１．０に調整した。析出固体を濾過分離、２０％塩化ナトリウム水溶液１００部で洗浄し、ウェットケーキ４３．１部を得た。得られたウェットケーキを水２００部に加え、２５％水酸化ナトリウム水溶液を用いて、ｐＨ９．０に調整し、ウェットケーキを溶解した。このときの液量は２６０部であった。得られた溶液の温度を５０℃に上げ、そこに塩化ナトリウム５２部（対液２０％）を加え３０分撹拌した後、２０分かけて濃塩酸でｐＨ１．０に調整した。析出固体を濾過分離し、２０％塩化ナトリウム水溶液１００部で洗浄し、ウェットケーキ４５．２部を得た。得られたウェットケーキをメタノール２５５部及び水４５部の混合液に加えて５０℃で１時間攪拌した。固体を濾過分離し、ウェットケーキ３６．５部を得た。得られたウェットケーキ乾燥し、目的とする比較用色素１０．１部を青色粉末として得た。
λｍａｘ：６０９．０ｎｍ。【０１４８】
（Ａ）インクの調製
下記表２に記載の各成分を混合溶解し、０．４５μｍのメンブランフィルター（アドバンテック東洋株式会社製）で濾過する事により評価試験用のインクを調製した。インクの調製における「水」は、イオン交換水を使用した。又、インクのｐＨが８〜１０、総量が１００部になるように水及び水酸化ナトリウム（ｐＨ調整剤）を加えた。実施例１で得た色素を用いたインクの調製を実施例５、同様に、実施例２乃至３で得た色素を用いたインクの調製をそれぞれ実施例６乃至７とする。また実施例で得た色素の代わりに、比較例１又は２で得た比較用色素を用いる以外は実施例５乃至７と同様にして比較用インクを調製した。このインクの調製をそれぞれ比較例３（比較例１で得た比較用色素を使用）及び４（比較例２で得た比較用色素を使用）とする。【０１４９】
表２
上記各実施例で得た色素                            ５．０部
グリセリン                                        ５．０部
尿素                                              ５．０部
Ｎ−メチル−２−ピロリドン                        ４．０部
イソプロピルアルコール                            ３．０部
ブチルカルビトール                                ２．０部
タウリン                                          ０．３部
エチレンジアミン４酢酸２ナトリウム                ０．１部
界面活性剤［日信化学工業株式会社製、商品名  サーフィノール１０４ＰＧ５０］
０．１部
水＋水酸化ナトリウム水溶液                      ７５．５部
計                                      １００．０部【０１５０】
（Ｂ）インクジェット記録
インクジェットプリンタ（キヤノン株式会社製、商品名：ＰＩＸＵＳＲＴＭｉｐ４１００）を用いて、光沢紙としてヒューレット・パッカード社製アドヴァンスフォトペーパー）にインクジェット記録を行った。
インクジェット記録の際は、１００％、８５％、７０％、５５％、４０％、２５％濃度の６段階の階調が得られるように画像パターンを作り、ハーフトーンの記録物を得て、これを試験片とした。
また、反射濃度は測色システム（ＳｐｅｃｔｒｏＥｙｅ、ＧｒｅｔａｇＭａｃｂｅｔｈ社製）を用いて測色した。測色は、濃度基準にＤＩＮ、視野角２°、光源Ｄ６５の条件で行なった。
記録画像の各種試験方法及び試験結果の評価方法を以下に記載する。【０１５１】
（Ｃ）記録画像の評価
１．耐オゾンガス性試験（Ａ）
試験片を、オゾンウェザーメーター（スガ試験機株式会社製  型式ＯＭＳ−Ｈ）を用い、オゾン濃度１０ｐｐｍ、槽内温度２４℃、湿度６０％ＲＨの環境下で２４時間放置した。試験後に１００％の階調部で反射濃度の測定を行ない、色素残存率を（試験後の反射濃度／試験前の反射濃度）×１００（％）で計算して求め、３段階で評価した。試験前の各試験片の反射濃度は２．１７±０．０５の範囲内であった。
○：残存率８０％以上
△：残存率８０％未満、７０％以上
×：残存率７０％未満、６０％以上
色素残存率はその数値が高いほど良い。結果を下記表３に示す。【０１５２】
２．耐オゾンガス性試験（Ｂ）
試験片を、オゾンウェザーメーター（スガ試験機株式会社製  型式ＯＭＳ−Ｈ）を用い、オゾン濃度１０ｐｐｍ、槽内温度２４℃、湿度６０％ＲＨの環境下で２４時間放置した。試験後に７０％の階調部で反射濃度の測定を行ない、色素残存率を（試験後の反射濃度／試験前の反射濃度）×１００（％）で計算して求め、３段階で評価した。試験前の各試験片の反射濃度は１．３３±０．０５の範囲内であった。
○：残存率８０％以上
△：残存率８０％未満、７０％以上
×：残存率７０％未満、６０％以上
色素残存率はその数値が高いほど良い。結果を下記表３に示す。【０１５３】
３．耐オゾンガス性試験（Ｃ）
試験片を、オゾンウェザーメーター（スガ試験機株式会社製  型式ＯＭＳ−Ｈ）を用い、オゾン濃度１０ｐｐｍ、槽内温度２４℃、湿度６０％ＲＨの環境下で２４時間放置した。試験後に４０％の階調部で反射濃度の測定を行ない、色素残存率を（試験後の反射濃度／試験前の反射濃度）×１００（％）で計算して求め、３段階で評価した。試験前の各試験片の反射濃度は０．２６±０．０１の範囲内であった。
○：残存率８０％以上
△：残存率８０％未満、７０％以上
×：残存率７０％未満
色素残存率はその数値が高いほど良い。結果を下記表３に示す。【０１５４】
４．ブロンズ性評価
ブロンズ性の評価は、１００％濃度、８５％濃度、７０％濃度、５５％濃度、４０％濃度の５段階の印刷濃度階調に対して、どの階調でブロンズが発生するかを目視にて評価した。いずれの階調部でもブロンズが発生していないものはＯＫ、ブロンズが発生したものに関しては、ブロンズが発生した印刷濃度のうちの最低印刷濃度階調について記載した。得られた印刷物はブロンズが発生していないものが好ましい。【０１５５】
５．色相評価（ａ）
色相評価は、１００％濃度階調部を上記測色システムを用いて測色し、どのくらい標準色に近い色相であるか、評価した。なお、ここでいう標準色のシアンにはＩＳＯ／ＴＣ１３０国内委員会が発表しているＪａｐａｎＣｏｌｏｒベタパッチ色見本（３ｒｄＶＥＲＳＩＯＮ）を用い、上記測色システムにより色相を測定した。標準色の測定結果を以下に示す。
Ｌ＊：５６．３８、ａ＊：−２９．９９、ｂ＊：−４４．４４
評価を行なう際は、各試験片のＬ＊、ａ＊、ｂ＊を測色し、標準色からの色差（ΔＥ）を求めた。なお、色差（ΔＥ）は、以下の計算式により算出した。
ΔＥ＝（Δａ２＋Δｂ２＋ΔＬ２）１／２
算出した色差から、色相を３段階で評価した。
○：色差が５以上１０未満
△：色差が１０以上１５未満
×：色差が１５以上
結果を表４に示す。この値がより小さければ、試験片の色相が標準色に近く、好ましい。【０１５６】
表３  耐オゾンガス性試験結果
（Ａ）      （Ｂ）      （Ｃ）
実施例５        △          △          △
実施例６        △          △          ○
実施例７        △          △          ○
比較例３        ○          △          ○
比較例４        ×          ×          △【０１５７】
表４  ブロンズ・色相評価結果
ブロンズ        色相（ａ）
実施例５        ＯＫ            ○
実施例６        ＯＫ            △
実施例７        ＯＫ            △
比較例３        ＯＫ            ×
比較例４        ＯＫ            ○【０１５８】
表３及び４から明らかなように、いずれの実施例及び比較例においても、ブロンズ現象は観察されず、この点においては全ての例で良好な結果を示した。しかしながら、比較例３は、耐オゾンガス性は良好であるが、色相は標準色から最も乖離しており、シアンの色相としては十分とは言えないことが判明した。また、比較例４は、シアンの色相としては好適であるが、耐オゾンガス性が不十分であることが確認された。
これに対して、各実施例はいずれも、耐オゾンガス性と色相のバランスにおいて、各比較例より優れていることが明らかとなった。
【産業上の利用可能性】
【０１５９】
上記の通り、本発明のポルフィラジン色素及びこれを含有するインク組成物により、高い耐オゾンガス性と共に、より標準色に近い色相を有するバランスの取れた記録物が得られることが明らかであり、各種記録用、特にインクジェット記録用途に極めて有用である。